(57)【要約】【課題】同期コードの位置検出を簡素化しつつ同期コードの検出信頼性を向上させる。【解決手段】連続する３個の同期コードの組み合わせからなる第１パターンと、この第１パターンから同期コードコードの配置を１個ずらせた組み合わせからなる第２パターンとを比べた場合に、フレームシフトが起きたら、２個（複数）の同期コードを変化させる。【選択図】図１６
2006114222.tif 000002
【特許請求の範囲】
【請求項１】
複数のセクターで区切られた領域を持つ情報記憶媒体で用いられるものであって、
前記セクターが１以上のシンクフレームを含んで構成され、前記シンクフレームが複数の同期コードを含んで構成され、
同一セクター内の前記同期コードの配置に関して、連続する３個の同期コードの組み合わせからなる第１パターンと、この第１パターンから同期コードコードの配置を１個ずらせた組み合わせからなる第２パターンとを比べた場合に、２個の同期コードが変化するように構成したシンクフレーム構造。
【請求項２】
請求項１に記載のシンクフレーム構造を用いて、デジタル情報が前記複数のセクターで区切られた領域に記録されるように構成した情報記憶媒体。
【請求項３】
請求項２に記載の情報記憶媒体に対して、記録すべきデジタル情報にＥＣＣエンコードを施し、前記シンクフレームを用いて前記デジタル情報を記録するように構成した情報記録方法。
【請求項４】
請求項２に記載の情報記憶媒体から、そこに記録された情報を再生し、再生された前記同期コードに基づいて、情報再生を続けるように構成した情報再生方法。
【請求項５】
請求項２に記載の情報記憶媒体から、そこに記録された情報を再生する再生部と、再生された情報から前記同期コードの位置を検出する同期コード位置抽出部とを備え、検出された前記同期コードに基づいて、情報再生を続けるように構成した情報再生装置。
【発明の詳細な説明】
【技術分野】
【０００１】
この発明は、光ディスク等の情報記憶媒体で用いるシンクフレーム（同期フレーム）の改良に関する。具体的には、改良されたシンクフレームを用いた情報記録フォーマット（シンクフレーム構造）に基づく、情報記憶媒体、情報記録方法、情報再生方法、および情報再生装置に関する。この発明は、次世代の光ディスク（次世代ＤＶＤ−ＲＯＭ規格、次世代ＤＶＤ−Ｒ規格、次世代ＤＶＤ−ＲＡＭ規格等）に対応できる。
【背景技術】
【０００２】
記録型の光ディスクにおいては、あらかじめ光ディスク上にプリフォーマット情報を記録されている。光ディスク装置によって光ディスク上にデータ記録が行われるときは、プリフォーマット情報が検出され、この検出情報が参照されて、データの記録位置を決められる。
【０００３】
通常は、光ディスクにスパイラル状に形成された記録トラックを、所定の長さのアドレスセグメントに分割し、それぞれのセグメントに番地を示すアドレスを付与し、このアドレスをプリフォーマットデータとして書き込んでおく。
【０００４】
記録線密度が一定のＣＬＶ構成の光ディスクでは、アドレスセグメント長は、すべて同じ長さとなる。あまりアドレスセグメントが長すぎると、ランダムアクセスでアドレス情報を探す時間が増えるので、１周回が１０〜数１０個のアドレスセグメントで構成されるような長さが選ばれる。
【０００５】
プリフォーマットの与え方として、セグメントの先頭にプリピットとして形成する場合もあるが、その部分はデータ領域として使えなくなるので、最近の記録系媒体では、グルーブの蛇行によるウォブル信号としてデータ記録トラックに重畳してフォーマット情報を記録する方法もある。
【０００６】
ウォブルでフォーマット情報を記録する場合は、位相反転や周波数変化などの変調を掛けることになる。＋Ｒでは、このような手法が用いられている。一方、グルーブ間のランドにプリピットを離散的に形成してフォーマット情報とする方法が、ＤＶＤ−Ｒでは用いられている。
【０００７】
一方、記録するデータは、原データに対して、エラー訂正用のコードを生成し、さらに細かい同期フレームに分割して記録データとする。例えば、ＤＶＤ（デジタルバーサタイルディスク）においては、エラー訂正コードブロック（ＥＣＣブロック）を変調し、所定間隔で同期コードを付加し、複数の同期フレームを生成して、この複数の同期フレームを記録データとしている。
【０００８】
本願発明に関連する文献としては以下ような文献がある。
【０００９】
特許２,７８６,８１０号（文献１）…現行ＤＶＤで使用している同期コードに関連した技術内容が記載されている。
【００１０】
なお、この文献１に相当するものとして、他に米国特許第５，５８７，９９１号がある。
【００１１】
特開２００２−３７３４７２号（文献２）…複数（３個）の同期コードの配列順でセクター内の再生位置を判別する方法が記載されている。
【特許文献１】特許２,７８６,８１０号
【特許文献２】特開２００２−３７３４７２号公報
【発明の開示】
【発明が解決しようとする課題】
【００１２】
文献１に記載された内容に関連した同期コード（ SYNC Code ）が採用されている現行ＤＶＤ規格では、同期コード（ SYNC Code ）が３２種類ある。情報再生装置または情報記録再生装置でこの同期コード位置を検出するために、情報記憶媒体から再生した再生データに対してこの３２種類のパターンに対して総当たりのパターンマッチング検出を行っている。この同期コードの位置検出は非常に手間が掛かるため、同期コード検出回路が複雑となり、情報再生装置または情報記録再生装置の価格増加を起こしている。
【００１３】
また（同期コードが３２種類存在するために起因する）同期コード検出アルゴリズムが複雑なために、検出の信頼性が低い。それだけでなく、パターンマッチング対象コード数（同期コード全体のビット数）が３２ビットと長いので、情報記憶媒体上の欠陥に起因する同期コードの位置検出の信頼性がより一層低くなると言う問題がある。
【００１４】
また、情報記憶媒体上の欠陥などの原因で同期コード（ SYNC Code ）の再生パターンに対して誤検知を起こすと、その直後の情報がエラーになってしまうと言う問題も発生する。
【００１５】
文献２には複数（３個）の同期コードの配列順でセクター内の再生位置の判別方法が記載されている。しかし、情報記憶媒体上の欠陥などが原因で、再生時に、上記複数の内の１個の同期コードの値を誤検知すると、その直後の情報のＥＣＣブロック内位置がずれて判定されてしまう。すると、ＥＣＣブロック全体のエラー訂正能力が大幅に低下すると言う問題が発生するが、文献２では同期コードの誤検知に対する対策については一切記載されて無い。
【００１６】
この発明は上記の問題を解決することを目的とする。狭義にいえば、同期コードの位置検出に関する簡素化を図ると共に、同期コードの配置を工夫して１個の同期コードが予定外の値として検出された場合に“単なる誤検知”なのか“フレームシフトが生じたのか”あるいは“トラック外れを起こしたのか”の判定が可能な構造にすることで同期コードの検出信頼性を向上させることを目的とする。そして、個別的にいえば、上記の問題を解決できるシンクフレーム構造と、この構造に基づく、情報記憶媒体、情報記録方法、情報再生方法、および情報再生装置を提供することを目的とする。
【課題を解決するための手段】
【００１７】
この発明の一実施の形態では、
Ａ１〕同一セクター内の同期コード（SYNC Code）の配置方法を工夫し、連続する３個の同期コード（SYNC Code）の組み合わせパターンを、１個ずらした組み合わせパターンと比べて２個以上の同期コードで変化するように配置している。あるいは、
Ａ２〕過去の連続する複数の同期コード（SYNC Code）の組み合わせパターンと比較して“フレームシフトが生じた”のか“同期コード（SYNC Code）の誤検知が生じた”のか“トラック外れが起きた”のかの判定を行っている。あるいは、
Ａ３〕同期コード（SYNC Code）の種類を大幅に減らし（従来のＤＶＤの３２種類に対して４種類に減らす）、情報再生装置または情報記録再生装置の同期コード検出を容易にし、情報再生装置または情報記録再生装置の低価格化を図ると共に同期コードの検出信頼性を高めている。あるいは、
４〕ＥＣＣブロック単位での書き換え（または追記）を可能とし、ＥＣＣブロック間にガード領域を形成し、ガード領域の先頭位置に同期コード（SYNC Code）を記録して、ガード領域の検知を容易にしている。
【００１８】
別の言い方をすると、この発明の実施においては、
Ｂ１）複数のセクター（図１９の２３０〜２４１）で区切られた領域（４０１）を持つ情報記憶媒体（２２１）が用いられる。前記セクター（２３４）は１以上のシンクフレーム（４２０〜４２９）を含んで構成され、前記シンクフレーム（図１９の４２２；図１４のSync frame；図１６のSYNC Code番号）は複数の同期コード（図１９の４３１；図１４のSY0〜SY3；図１６ではシンクフレーム番号“００”におけるシンクコード番号“２”“１”“０”など）を含んで構成される。ここで、同一セクター内の前記同期コードの配置に関して、連続する３個の同期コードの組み合わせからなる第１パターン（例えば図１４のSY0, SY1, SY1；または図１６のシンクフレーム番号“００”におけるシンクコード番号“２”“１”“０”）と、この第１パターンから同期コードコードの配置を１個ずらせた組み合わせからなる第２パターン（例えば図１４のSY1, SY1, SY2；または図１６のシンクフレーム番号“０１”におけるシンクコード番号“１”“０”“１”）とを比べた場合に、２個以上の同期コード（図１４の例では１番目のSY0→SY1と３番目のSY1→SY2の２箇所；図１６の例では“２”→“１”“１”→“０”“０”→“１”の３箇所）が変化するように構成される。
【００１９】
Ｂ２）複数のセクターで区切られた領域を持つ情報記憶媒体が用いられる。前記セクターは１以上のシンクフレームを含んで構成され、前記シンクフレームは複数の同期コードを含んで構成される。ここで、同一セクター内の前記同期コードの配置に関して、過去の連続する複数同期コードの組み合わせからなる過去パターンに基づいて（図３６のＳＴ６６での比較；図３７のＳＴ５での比較／図１８参照）、前記シンクフレームにおいてフレームシフトが生じたのか（ＳＴ６）、あるいは前記同期コードの誤検出が生じたのか（ＳＴ７）の判定を行うように構成される。
【００２０】
Ｂ３）複数のセクターで区切られた領域を持つ情報記憶媒体が用いられる。前記セクターは１以上のシンクフレームを含んで構成され、前記シンクフレームは複数の同期コードを含んで構成される。ここで、前記複数のセクターで区切られた領域は書き替えまたは追記の単位として使用可能なＥＣＣブロックを含み、前記情報記憶媒体にはこのＥＣＣブロック（図２０の４１１〜４１８）が複数形成され、これらのＥＣＣブロックの間にはガード領域（図２０の４４１〜４４８；または図２１〜２２）が設けられ、前記ガード領域の先頭位置に、前記同期コード（例えば図２１または図２２のSY1）が設けられるように構成される（ガード領域先頭の同期コードによりガード領域の検知が容易になる）。
【発明の効果】
【００２１】
同期コードの位置検出を簡素化しつつ同期コードの検出信頼性を向上させることができる。
【発明を実施するための最良の形態】
【００２２】
以下、この発明の実施の形態を図面を参照して説明する。
【００２３】
１〕この発明の一実施の形態に係る情報記録媒体への映像情報記録形式の説明（Ａ）
図１は、この発明の一実施の形態に係る情報記録媒体に対するファイル配置の例を示す。従来のＳＤ（Standard Definition）用のObject File（既存ＳＤ用特定タイトルのオブジェクト（ＶＴＳ１ＴＴ_ＶＯＢＳ）ファイル）２１６と、管理ファイル２０６、２０８、２１１、１２３と、高画質映像に対応したＨＤ（High Definition）用のObject File（高画質ＨＤ用特定タイトルのオブジェクト（ＶＴＳ２ＴＴ_ＶＯＢＳ）ファイル）２１７及び管理ファイル２０１、２０９、２１２、２１４とを互いに分離独立させて、これらを従来のＤＶＤ-Ｖｉｄｅｏ専用ディレクトリ２０２内に共存配置している。
【００２４】
図２は、この発明の一実施の形態に係る情報記録媒体に対するファイル配置の他の例を示す。ここでは従来のＳＤ（Standard Definition）用のObject File（既存ＳＤ用特定タイトルのオブジェクト（ＶＴＳ１ＴＴ_ＶＯＢＳ）ファイル）２１６及び管理ファイル２０６、２０８、２１１、１２３と、高画質映像に対応したＨＤ（High Definition）用のObject File（高画質ＨＤ用特定タイトルのオブジェクト（ＶＴＳ２ＴＴ_ＶＯＢＳ）ファイル２１７及び管理ファイル２０１、２０９、２１２、２１４とをそれぞれ別のディレクトリ２０３、２０４の下に分けて配置している。このようにObject Fileと管理ファイルがＳＤ用とＨＤ用で分離されていると、ファイル管理が容易になるばかりで無く、Object Fileの再生前にＳＤ用かＨＤ用のデコーダーの事前準備が可能となり、映像再生を開始するまでの準備時間が大幅に短縮される。
【００２５】
図３は、この発明の一実施の形態に係る情報記録媒体に対する映像情報の記録方法を説明する図である。図３に示すように、この発明の一実施の形態は、ＭＰＥＧレイヤー２で規定された多重化規則にのっとり、プログラムストリーム（Program Stream）の形で情報を情報記録媒体に記録している。すなわち映像情報内の主映像情報をビデオパック２５２〜２５４内に分散配置させ、音声情報をオーディオパック２５５内に分散配置させている。この発明の一実施の形態に係るシステムでは、図示してないが、映像情報の最小単位であるＶＯＢＵ（Video Object Unit）の先頭位置にナビゲーションパック２５１を配置している。またビデオパック２５２〜２５４内に記録される主映像とは別に字幕やメニューなどを示す副映像情報が定義されている。副映像情報はサブピクチャーパック２５６〜２５８内に分散配置されている。情報記録媒体から映像情報を再生する時には、前記サブピクチャーパック２５６〜２５８内に分散記録されている副映像情報を集めてサブピクチャーユニット２５９を構成させた後、図示してないビデオプロセッサにより映像処理をした後、処理後の副映像情報をユーザに表示する。
【００２６】
またこの発明の一実施の形態では、２０４８バイトサイズを持ったセクター２３１〜２３８が情報記録媒体２２１上に記録される情報の管理単位となっている。従って各パック２４１〜２４８の１個当たりのデータサイズも前記セクターサイズに合わせて２０４８バイトに設定している。
【００２７】
図４は、この発明の一実施の形態に係る情報記録媒体に記録される副映像の圧縮規則の例を説明する図である。この規則について、以下に説明する。
【００２８】
２〕この発明の一実施の形態における副映像情報の表現形式と圧縮規則（Ｂ）
(a)ランレングス圧縮規則（Run-length compression rule）
ランレングス圧縮は、サブピクチャーを圧縮するするのに採用されている。その幾つかの圧縮規則をここで説明する。ＳＤ対応、ＨＤ対応として幾つかのランレングス圧縮規則が開発された。
【００２９】
１）４ビットが１つの単位（ユニット）として設定されるケース（図４の副映像情報の圧縮規則（１）参照）。もし同じ値の画素データ（ピクセルデータ）が１〜３連続する場合、最初の２ビットは、画素数（ピクセル数）を示し、次に続く２ビットで具体的なピクセルデータが表される。
【００３０】
２）８ビットが１つの単位（ユニット）として設定されるケース（図４の副映像情報の圧縮規則（２）参照）。もし同じ値のピクセルデータが４〜１５連続する場合、最初の２ビットは、０とされる。そして次に続く４ビットがピクセル数を示し、次に続く２ビットで具体的なピクセルデータが表される。
【００３１】
３）１２ビットが１つの単位（ユニット）として設定されるケース（図４の副映像情報の圧縮規則（３）参照）。もし同じ値のピクセルデータが１６〜６３連続する場合、最初の４ビットは、０とされる。そして次に続く６ビットがピクセル数を示し、次に続く２ビットで具体的なピクセルデータが表される。
【００３２】
４）１６ビットが１つの単位（ユニット）として設定されるケース（図４の副映像情報の圧縮規則説明図（４）参照）。もし同じ値のピクセルデータが６４〜２５５連続する場合、最初の６ビットは、０とされる。そして次に続く８ビットがピクセル数を示し、次に続く２ビットで具体的なピクセルデータが表される。
【００３３】
５）１６ビットが１つの単位（ユニット）として設定されるケース（図４の副映像情報の圧縮規則説明図（５）参照）。もし同じ値のピクセルデータが１ラインの最後まで連続する場合、最初の１４ビットは、０とされる。そして次に続く２ビットで具体的なピクセルデータが表される。
【００３４】
６）もし、１ライン分のピクセルを表現したときに、バイトアラインメントが実現できなったとき、４ビットのダミー（'００００b'）が調整のために挿入される。
【００３５】
上記は、ＳＤ用の副映像を圧縮する際に用いられる規則であるが、ＨＤ用の副映像を圧縮する際に用いられる規則も開発されている。
【００３６】
図５は、記録データフィールドを生成する処理手順を説明する図である。情報記録媒体のデータフィールドに記録されるデータは、図５に示すように、信号処理段階に応じて、データフレーム（Data frame）、スクランブルドフレーム（Scrambled frame）、記録フレームまたは記録データフィールド（Recording frame or Recorded data field）と称される。データフレームは、２０４８バイトからなり、メインデータ、４バイトのデータＩＤ、２バイトのＩＤエラー検出コード（IED）、６バイトの予約バイト、４バイトのエラー検出コード（EDC）を有する。
【００３７】
エラー検出コード（EDC）が付加された後、メインデータに対するスクランブルが実行される。ここで、スクランブルされた３２個のデータフレーム（スクランブルドフレーム）に対して、クロスリードソロモンエラーコレクションコード（Cross Reed-Solomon error correction code）が適用されて、所謂ＥＣＣエンコード処理が実行される。これにより、記録フレームが構成される。この記録フレームは、アウターパリティーコード（Parity of Outer-code (PO)）、インナーパリティーコード（Parity of Inner-code (PI)）を含む。
【００３８】
PO,PIは、それぞれ３２個のスクランブルドフレームによりなる各ＥＣＣブロックに対して作成されたエラー訂正コードである。記録データフィールドは、４／６変調される。そして、９１バイト毎に先頭に同期コード（SYNC）が付加され記録フレームとなる。１つのデータフィールドに４つの記録データフィールドが記録される。図５は、メインデータから記録フレームまで、データが変遷する様子を示している。
【００３９】
図６は、データフレームの形態を示している。データフレームは、１７２バイト×２×６行からなる２０６４バイトであり、そのなかに２０４８バイトのメインデータを含む。
【００４０】
図７は、図６のデータＩＤの内容を示す。このデータＩＤは、４バイトで構成される。ビットｂ３１−ｂ２４の最初の１バイトは、データフィールド情報であり、３バイト（ビットｂ２３−ｂ０）は、データフィールド番号である。
【００４１】
エンボスドデータゾーンの中のデータフィールド情報は、次のようになっている。セクターフォーマットタイプ、トラッキング方法、反射率、記録タイプ、エリアタイプ、データタイプ、層番号等の情報が含まれる。
【００４２】
セクターフォーマットタイプ…１ｂならゾーンフォーマットタイプ、トラッキング方法…０ｂならピットトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…０１ｂでリードインエリア、データタイプ…０ｂでリードオンリーデータ、層番号…０ｂでデュアルレイヤーの層０或は、単一層ディスクを示し、１ｂでデュアルレイヤーの層１を示す。
【００４３】
リライタブルデータゾーンの中のデータフィールド情報は、次のようになっている。
【００４４】
セクターフォーマットタイプ…１ｂならゾーンフォーマットタイプ、トラッキング方法…１ｂならグルーブトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…００ｂでデータエリア、０１ｂでリードインエリア、１０ｂでリードアウトエリア、データタイプ…１ｂでリライタブルデータ、層番号…０ｂでデュアルレイヤーの層０或は、単一層ディスクを示し、１ｂでデュアルレイヤーの層１を示す。これらのビットは、また上記のルールで割り当てられなければならない。
【００４５】
図８は、図７のデータフィールド番号の内容を示す。ＥＣＣブロックが、エンボスドデータゾーン、欠陥管理エリア、ディスク識別ゾーンに所属する場合は、いずれの場合もセクター番号が記述される。ＥＣＣブロックがデータエリアに所属する場合、そのデータフィールド番号は、「論理セクタ番号（ＬＳＮ）＋０３１０００ｈ」となる。このときは、ＥＣＣブロックには、ユーザデータが含まれる。
【００４６】
また、ＥＣＣブロックがデータエリア内に所属するが、このＥＣＣブロックはユーザデータを含まず、つまり未使用ＥＣＣブロックである場合がある。このような場合は、次の３つのいずれかである。（１）最初のセクタの０から３ビットが０であり、続くセクタにはシリアルにインクリメントされたフィールド番号が記述される。（２）００  ００００ｈから００  ０００Ｆｈの間のフィールド番号が記述される。（３）あるいは何も記述されない。
【００４７】
図９は、記録タイプの定義を示している。つまり、ＥＣＣブロックがエンボスドデータゾーンにあるときは、「予約」である。ＥＣＣブロックがリライタブルデータゾーンにあり、かつリードインエリア、リードアウトエリアにあるときは、「予約」である。ＥＣＣブロックがリライタブルデータゾーンにあり、データエリアにあるときは、０bでジェネラルデータ（General data）、１bでリアルタイムデータ（Real-time data）を意味する。
【００４８】
General dataの場合、もしブロックに欠陥がある場合は、対応するセクタに対してリニアリプレイスメントアルゴリズム（Linear replacement algorithm）が適用されている。リアルタイムデータの場合は、もしブロックに欠陥がある場合は、対応するセクタに対してリニアリプレイスメントアルゴリズムが適用されていない。
【００４９】
次にデータＩＤのエラー検出コード（ＩＥＤ）について説明する。
【００５０】
今、マトリックスに配置された各バイトが、Ｃi,j(i=０〜１１、ｊ＝０〜１７１)；ＩＥＤのための各バイトがＣ０,j(j=０〜４)とすると、ＩＥＤは、以下のように表せる：
【数１】
2006114222.tif 000003
【００５１】
ここで、
【数２】
2006114222.tif 000004
【００５２】
【数３】
2006114222.tif 000005
【００５３】
次に６バイトのＲＳＶについて説明する。ＲＳＶの最初のバイトはスクランブルのための種情報として使用される。他の５バイトは、０ｈであり予約（reserved）である。
【００５４】
エラー検出コード（ＥＤＣ）は、４バイトのチェックコードであり、スクランブル前のデータフレームの２０６０バイトに付随している。データＩＤの最初のバイトのＭＳＢがｂ１６５１１であるとし、最後のバイトのＬＳＢがｂ０であるとする。すると、ＥＤＣのための各ビットｂｉ（ｉ＝３１〜０）は、
【数４】
2006114222.tif 000006
【００５５】
ここで、
【数５】
2006114222.tif 000007
【００５６】
図１０は、メインデータにスクランブルを施す際のシフトレジスタの初期値の例と、そのシフトレジスタを説明する図である。図１０の（Ａ）は、スクランブルドフレームを作成するときに、フィードバックシフトレジスタに与える初期値の例を示し、図１０の（Ｂ）は、スクランブルバイトを作成するためのフィードバックシフトレジスタを示している。ここでは、１６種類のプリセット値が用意されている。
【００５７】
ｒ７（ＭＳＢ）からｒ０（ＬＳＢ）が、８ビットずつシフトし、スクランブルバイトとして用いられる。図１０の（Ａ）の初期プリセット番号は、データＩＤの４ビット（ｂ７（ＭＳＢ）〜ｂ４（ＬＳＢ））に等しい。データフレームのスクランブルの開始時には、ｒ１４〜ｒ０の初期値は、図１０の（Ａ）のテーブルの初期プリセット値にセットしなければならない。
【００５８】
１６個の連続するデータフレームに対して、同じ初期プリセット値が用いられる。次には、初期プリセット値が切り換えられ、１６個の連続するデータフレームに対しては、切り換わった同じプリセット値が用いられる。
【００５９】
ｒ７〜ｒ０の初期値の下位８ビットは、スクランブルバイトＳ０として取り出される。その後、８ビットのシフトが行なわれ、次にスクランブルバイトが取り出され、２０４７回このような動作が繰り替えされる。ｒ７〜ｒ０より、スクランブルバイトＳ０〜Ｓ２０４７が取り出されると、データフレームは、メインバイトＤｋからスクランブルドバイトＤｉｋとなる。
【００６０】
このスクランブルドバイトＤｉｋは、
【数６】
2006114222.tif 000008
となる。
【００６１】
次に、ＥＣＣブロックの構成について説明する（Ｄ）（Ｅ）。
【００６２】
図１１はＥＣＣブロックを示している。ＥＣＣブロックは、連続する３２個のスクランブルドフレームから形成されている。縦方向に１９２行＋１６行、横方向に（１７２＋１０）×２列が配置されている。Ｂ０、０、Ｂ１、０、…はそれぞれ１バイトである。ＰＯは、ＰＩは、エラー訂正コードであり、アウターパリティー、インナーパリティーである。
【００６３】
図１１のＥＣＣブロックは、（６行×１７２バイト）単位が１スクランブルドフレームとして扱われる。このようにスクランブルドフレーム配置として書き直した図が、図１２である。つまり連続する３２個のスクランブルドフレームからなる。さらに、このシステムでは、（ブロック１８２バイト×２０７バイト）をペアとして扱う。左側のＥＣＣブロックの各スクランブルドフレームの番号にＬを付け、右側のＥＣＣブロックの各スクランブルドフレームの番号にＲを付けると、スクランブルドフレームは、図１２に示すように配置されている。つまり左側のブロックに左と右のスクランブルドフレームが交互に存在し、また右側のブロックにスクランブルドフレームが交互に存在する。
【００６４】
つまり、ＥＣＣブロックは、３２個の連続スクランブルドフレームから形成される。奇数セクタの左半分の各行は、右半分の行と交換されている。１７２×２バイト×１９２行は１７２バイト×１２行×３２スクランブルドフレームに等しく、情報フィールドとなる。１６バイトのＰＯが、各１７２×２列にＲＳ（２０８，１９２，１７）のアウターコードを形成するために付加される。また１０バイトのＰＩ（ＲＳ（１８２，１７２，１１））が、左右のブロックの各２０８×２行に付加される。ＰＩは、ＰＯの行にも付加される。
【００６５】
フレーム内の数字は、スクランブルドフレーム番号を示し、サフィックスのＲ，Ｌは、スクランブルドフレームの右側半分と、左側半分を意味する。図１１に示したＰＯ，ＰＩの生成は以下のような手順で行なわれる。
【００６６】
先ず、列ｊ（ｊ＝０〜１７１と、ｊ＝１８２〜３５３）に対して、１６バイトのＢi,j(ｉ＝１９２〜２０７)が付加される。このＢi,jは、次の多項式Ｒj(X)により定義されており、この多項式は、アウターコードＲＳ（２０８，１９２，１７）を各１７２×２列に形成するものである：
【数７】
2006114222.tif 000009
【００６７】
ここで、
【数８】
2006114222.tif 000010
【００６８】
次に、行i（i＝０〜２０７）に対して、１０バイトのＢi,j(j＝１７２〜１８１、j＝３５４〜３６３)が付加される。このＢi,jは、次の多項式Ｒi(X)により定義されており、この多項式は、インナーコードＲＳ（１８２，１７２，１１）を（２０８×２）／２の各行に形成するものである：
【数９】
2006114222.tif 000011
【００６９】
ここで、
【数１０】
2006114222.tif 000012
【００７０】
【数１１】
2006114222.tif 000013
【００７１】
ここで、
【数１２】
2006114222.tif 000014
【００７２】
【数１３】
2006114222.tif 000015
【００７３】
図１３は、ＥＣＣブロックにおいて、アウターパリティー（ＰＯ）が、左側ブロック、右側ブロックにそれぞれインターリーブされた様子を示す。図１１の各Ｂマトリックスの要素であるＢi,jは、２０８行×１８２×２列を構成している。このＢマトリックスは、Ｂi,jがＢｍ,ｎで再配置されるように、行間においてインターリーブされている。このインタリーブの規則は以下の式で表される：
【数１４】
2006114222.tif 000016
【００７４】
この結果、図１３に示す様に、１６のパリティー行は、１行ずつ分散される。つまり、１６のパリティー行は、２つの記録フレーム置きに対して、１行ずつ配置される。したがって、１２行からなる記録フレームは、１２行＋１行となる。この行インターリーブが行なわれた後、１３行×１８２バイトは、記録フレームとして参照される。したがって、行インターリーブが行なわれた後の、ＥＣＣブロックは、３２個の記録フレームである。１つの記録フレーム内には、図１２で説明したように、右側と、左側のブロックの行が６行ずつ存在する。また、ＰＯは、左のブロック（１８２×２０８バイト）と、右のブロック（１８２×２０８バイト）間では、異なる行に位置するように配置されている。図では、１つの完結型のＥＣＣブロックとして示している。しかし、実際のデータ再生時には、このようなＥＣＣブロックが連続してエラー訂正処理部に到来する。このようなエラー訂正処理の訂正能力を向上するために、図１３に示すようなインターリーブ方式が採用される。
【００７５】
図１４は、記録されたデータフィールド（偶数フィールドと奇数フィールド）の構成例を説明する図である。
【００７６】
図１４において、Even Recorded data field及びOdd Recorded data fieldのいずれも最後の２シンクフレーム（すなわち最後の“SYNC codeがＳＹ３”の部分とその直後の“シンクデータ”及び“SYNC codeがＳＹ１”の部分とその直後の“シンクデータ”が並んだ部分）内のシンクデータ領域に図１３で示したＰＯ（Parity Out）の情報が挿入される。
【００７７】
すなわち、Even Recorded data field内の最後の２シンクフレーム箇所には図１２に示した“左側のＰＯの一部”が挿入され、Odd Recorded data field内の最後の２シンクフレーム箇所には図１２に示した“右側のＰＯの一部”が挿入される。図１２に示すように１個のＥＣＣブロックはそれぞれ左右の“小ＥＣＣブロック”から構成され、セクター毎に交互に異なるＰＯグループ（左の小ＥＣＣブロックに属するＰＯか、右の左の小ＥＣＣブロックに属するＰＯか）のデータが挿入される。
【００７８】
〔この発明の一実施の形態における個々ポイントとその個々ポイント毎の独自効果説明〕
Ｆ）ＥＣＣブロックを構成するセクターにより複数種類のSync frame構造を規定する１個のＥＣＣブロックを構成するセクターのセクター番号が、偶数番号か奇数番号かで、図１４に示すように、Sync frame構造を変化させる所に特徴がある。つまりセクター毎に交互に異なるＰＯグループのデータが挿入される構造（図１３）になっている。
【００７９】
…  ［効果］ＥＣＣブロックを構成した後でもセクターの先頭位置にData IDが配置される構造になっているため、アクセス時のデータ位置確認が高速で行える。また、同一セクター内に異なる小ＥＣＣブロックに属するＰＯを混在挿入するより図１３のようなＰＯ挿入方法を採る方法が構造が簡単になり、情報再生装置内でのエラー訂正処理後の各セクター毎の情報抽出が容易になると共に、情報記録再生装置内でのＥＣＣブロックデータの組立て処理の簡素化が図れる。
【００８０】
○  ＰＯのインターリーブ・挿入位置が左右で異なる構造を有する（図１３）
…  ［効果］ＥＣＣブロックを構成した後でもセクターの先頭位置にData ID が配置される構造になっているため、アクセス時のデータ位置確認が高速で行える。
【００８１】
図１５は、シンクコードの具体的な内容例を説明する図である。この発明の一実施の形態における変調規則に対応して、State０とState１の２状態を有する。各状態に対して“ＳＹ０”から“ＳＹ３”までのそれぞれ４種類のSYNC Codeが設定されている。現行ＤＶＤ規格では変調方式として８／１６変調（８ビットを１６チャネルビットに変換）のＲＬＬ（２，１０）（Run Length Limited：ｄ＝２、ｋ＝１０：“０”が連続して続く範囲の最小値が２、最大値が１０）を採用しており、変調にState１からState４までの４状態、“ＳＹ０”から“ＳＹ７”までの８種類のSYNC Codeが設定されている。それに比べるとこの発明の一実施の形態はSYNC Codeの種類が激減している。情報記録再生装置または情報再生装置では情報記憶媒体からの情報再生時にパターンマッチング法によりSYNC Codeの種別を識別する。この発明の一実施の形態のようにSYNC Codeの種類を大幅に減らす事でマッチングに必要な対象パターンを減らし、パターンマッチングに必要な処理を簡素化して処理効率を向上させるばかりで無く、認識速度を向上させる事が可能となる。
【００８２】
図１５に示すようにこの発明の一実施の形態におけるSYNC Code（同期コード）は下記の部分から構成されている。
【００８３】
< 1> 同期位置検出用コード部
…  全てのSYNC Codeで共通なパターンを持ち、固定コード領域を形成する。このコードを検出する事でSYNC Codeの配置位置を検出出来る。具体的には図１５の各SYNC Codeにおける最後の１７チャネルビット“01000 000000 001001”の所を意味している。
【００８４】
< 2>変調時の変換テーブル選択コード部
…  可変コード領域の一部を形成し、変調時のState番号に対応して変化するコード。図１５の最初の１チャネルビットの所が該当する。
【００８５】
< 3>シンクフレーム位置識別用コード部
…  SYNC Code内での“ＳＹ０”から“ＳＹ３”までの各種類を識別するコードで、可変コード領域の一部を構成する。図１５の各SYNC Codeにおける最初から２番目から７番目までのチャネルビット部が相当する。後述するように、連続して検出される３個ずつのSYNC Codeのつながりパターンから、同一セクター内の相対的な位置を検出できる。
【００８６】
この発明の一実施の形態では、変調方法に４／６変調、ＲＬＬ（１,９）を採用している。すなわち変調時に４ビットを６チャネルビットに変換し、変換後の“０”が連続して続く範囲は最小値（ｄ値）が１、最大値（ｋ値）が９になるように設定している。この発明の一実施の形態では ｄ＝１ とする事で従来より高密度化を達成できるが、最密マークの所では充分に大きな再生信号振幅を得難い。
【００８７】
図３３に示すようにこの発明の一実施の形態に係る情報記録再生装置は、ＰＲ等化回路１３０とビタビ複合器１５６を持ち、ＰＲＭＬ（Pertiral Response Maximum Likelyhood）の技術を用いて、非常に安定な信号再生を可能としている。また ｋ＝９と設定しているので変調された一般のチャネルビットデータ内には“０”が連続して１０個以上続く事が無い。この変調ルールを利用し、上記の“同期位置検出用コード部”では変調された一般のチャネルビットデータ内には現れ無いパターンを持たせている。
【００８８】
すなわち、図１５に示すように、“同期位置検出用コード部”では“０”を連続的に１１個（ ｋ＋２個 ）続けている。情報記録再生装置または情報再生装置では、この部分を見付けて同期位置検出用コード部の位置を検出する。また、余りに長く“０”が連続的に続くとビットシフトエラーが起き易いので、その弊害を緩和するため同期位置検出用コード部内ではその直後に“０”の連続個数が少ないパターンを配置している。
【００８９】
この発明の一実施の形態では ｄ＝１ なので対応パターンとしては“１０１”の設定は可能であるが、上述したように“１０１”の所（最密パターンの所）では充分に大きな再生信号振幅が得難いので、その代わりに“１００１”を配置し、図１５に示すような“同期位置検出用コード部”のパターンにしている。
【００９０】
図１５に示す４種類の同期コード（SYNC Code）の内、“ＳＹ０”のみを図１４に示すようにセクター内の最初のシンクフレーム位置に配置した所に、この発明の一実施の形態の特徴がある。その効果として、“ＳＹ０”を検出するだけで即座にセクター内の先頭位置が割り出せ、セクター内の先頭位置抽出処理が非常に簡素化される。また、連続する３個の同期コードの組み合わせパターンは同一セクター内で全て異なると言う特徴もある。
【００９１】
図１６は、連続するシンクコードの組み合わせパターン（列方向）の比較例１を説明する図である（セクタ間を移動する場合）。図１４の実施の形態ではEven Recorded data field、Odd Recorded data fieldいずれの場合にもセクター先頭のシンクフレーム位置では“ＳＹ０”が現れ、次に“ＳＹ１”、“ＳＹ１”と続く。この場合の３個の同期コードの組み合わせパターンは、SYNC Code番号だけを並べて（０,１,１）となる。この組み合わせパターンを列方向に縦に並べ、１個ずつ組み合わせをずらした時のパターン変化を横方向に並べると図１６のようになる。例えば図１６での最新のSYNC Frame番号が“０２”の列は（０,１,１）の順にSYNC Code番号が並んでいる。
【００９２】
図１４において、Even Recorded data fieldでの“０２”のSYNC Frame位置は、最上行の左から３番目のSYNC Frame位置を表している。このSYNC Frame位置での同期コードは“ＳＹ１”となっている。セクター内データを連続に再生している場合には、その直前に配置されたSYNC Frame位置での同期コードは“ＳＹ１”で有り、２個前の同期コードは“ＳＹ０”（SYNC Code番号は“０”）となる。
【００９３】
図１６から明らかなように最新のSYNC Frame番号が“００”から“２５”の範囲で列方向に並ぶ３個のSYNC Code番号の組み合わせパターンは全て異なる組み合わせになっている。この特長を生かし、連続する３個の同期コードの組み合わせパターンから同一セクター内の位置を割り出す事が可能となる。
【００９４】
図１６における６行目は連続する３個の同期コードの組み合わせを１個ずらした時のパターン変化内でのSYNC Code番号が変化する数を表している。例えば、最新のSYNC Frame番号が“０２”の列は（０,１,１）の順にSYNC Code番号が並んでいる。この組み合わせを１個ずらした時の組み合わせパターンは、最新のSYNC Frame番号が“０３”の列で記載され、（１,１,２）になっている。この２パターンを比較すると、中央部では“１→１”とSYNC Code番号は変わって無いが、前の方が“０→１”と変化し、後ろの方が“１→２”と変化しているので、合計“２箇所”変化し、隣接間のコード変化数は“２”となる。
【００９５】
図１６から明らかなように、最新のSYNC Frame番号が“００”から“２５”に至る全範囲内で隣接間のコード変化数が２以上になる（つまり、連続する３個ずつの同期コードの組み合わせを１個ずらした組み合わせパターンは、少なくとも２箇所以上SYNC Code番号が変化する）ように工夫して、セクター内のSYNC Code番号を配列した所に、この発明の大きな特徴がある。
【００９６】
図１７は、連続するシンクコードの組み合わせパターン（列方向）の比較例２を説明する図である（ガード領域を跨る場合）。図２０と図２３を用いて後述するように、この発明の一実施の形態において、再生専用情報記憶媒体における特定のデータ構造及び追記形情報記憶媒体と書き換え形情報記憶媒体では、ＥＣＣブロックの間にガード領域を持ち、このガード領域内のＰＡ（Postamble）領域の最初に同期コード（SYNC Code）が配置され、ガード領域内の同期コードは図１７に示すように“ＳＹ１”が設定されている。このようにSYNC Code番号を設定する事で、ガード領域を挟んで２個のセクターが配置されている場合でも、連続する３個ずつの同期コードの組み合わせを１個ずつずらした時の隣接間のコード変化数は、図１７に示すように常に“２以上”に保たれる。
【００９７】
図１６及び図１７における７行目は、連続する３個ずつの同期コードの組み合わせを２個ずつずらした時のコード変化数を表している。例えば（０,１,１）の順にSYNC Code番号が並んでいる最新のSYNC Frame番号が“０２”の列に対して、組み合わせを２個ずらした時のパターンは最新のSYNC Frame番号が“０４”の列に対応し、（１,２,１）の順にSYNC Code番号が並ぶ。この時は後ろの方は“１→１”とSYNC Code番号は変わって無いが、前の方が “０→１”と変化し、中央が“１→２”と変化しているので、合計“２箇所”変化し、組み合わせを２個ずらした時のコード変化数は“２”となる。
【００９８】
情報記憶媒体に記録された情報を連続して再生する時に、“情報記憶媒体上が無欠陥”であり、“フレームシフト”や“トラック外れ”が無い理想的な場合には、フレームデータを再生すると同時に同期コードのデータも正確に順次検知が行われている。この場合には連続する３個ずつの同期コードの組み合わせパターンは、１個ずつずらした隣接パターンが順次検出される。
【００９９】
図１４に示すようなこの発明の一実施の形態に係る同期コード配列を行った場合には、図１６、図１７に示すように連続する３個ずつの同期コードの組み合わせパターンは必ず２箇所以上SYNC Code番号が変化している。従ってもし上記組み合わせパターンが隣接間で１個のみSYNC Code番号が変化した場合には、同期コード（番号）を一部誤検知したかトラック外れを起こした可能性が高い。
【０１００】
情報記憶媒体上の情報再生時に何らかの原因で同期が外れ、１Sync Frame 分ずれて同期を掛けていたとしても、次の同期コードを検出した時点で先行する２個の同期コードとの組み合わせパターンにより同一セクター内の現在の再生位置を確認する事が出来る。その結果、１シンクフレーム分ずらして（位置補正して）同期をリセットする事が可能となる。
【０１０１】
連続再生時に同期が外れて１シンクフレーム分ずれた事を検出した時は、連続する３個ずつの同期コードの組み合わせを２個ずらした時のパターン変化が現れる。この時にパターン内でSYNC Code番号が変化する場所の数を示したのが図１６と図１７の７行目である。
【０１０２】
フレームシフトが生じた場合のフレームシフト量は大多数の場合に“±１SYNC Frame分”なので、１シンクフレームずれた時のパターン変化状況を把握していれば大多数のフレームシフトを検出できる。図１６と図１７の７行目から分かる事は、この発明の一実施の形態における同期コード配列方法では、±１SYNC Frame分のフレームシフトが生じた時に、
イ〕ほとんどの場合はパターン内でSYNC Code番号が変化する場所は２箇所以上になっている；
ロ〕パターン内でSYNC Code番号が変化する場所が１箇所のみなのはセクター内の先頭に近い場所だけ（最新のSYNC Frame番号で“０３”と“０４”の所だけ）になっている；
ハ〕パターン内でSYNC Code番号が変化する場所が１箇所のみなのは検出された組み合わせパターンが（１,１,２）か（１,２,１）（最新のSYNC Frame番号で“０３”と“０４”の所）及び（１,２,２）か（２,１,２）（最新のSYNC Frame番号で“０３”と“０４”の所に対して１Sync Frame 分ずらした場所（組み合わせ場所を２個ずらした場所）での組み合わせパターン）の所のみになっている；
と言う特徴がある。
【０１０３】
以上の特徴から、多くの場合（仮にフレームシフトが生じてもシフト量が ±１Sync Frame 分の場合）、『連続する３個ずつの同期コードの組み合わせパターン内でSYNC Code番号が変化する場所の数が１箇所のみで、検出された組み合わせパターンが（１,１,２）、（１,２,１）、（１,２,２）、（２,１,２）のいずれにも該当しない場合には“同期コードの誤検知”か“トラック外れ”が生じた』と判断できる。
【０１０４】
トラック外れが生じた場合は、図６に示すData IDの連続性もしくは後述するWobble Address情報の連続性の可否で検知できる（トラックが外れると連続性が途切れる）。
【０１０５】
図１８は、予定外のシンクコードの組み合わせパターンを検知した場合の、検知パターン内容と異常現象内容との間の関係例を説明する図である。図１４に示したこの発明の一実施の形態における同期コード配列方法による特徴を利用し、連続する３個ずつの同期コードの組み合わせパターン変化の状態で“フレームシフト”“同期コードの誤検知”“トラック外れ”のいずれかを識別可能となる。以上で説明した内容を図１８にまとめて記載する。
【０１０６】
パターン内でSYNC Code番号が変化する場所の数が１箇所のみか否かで“フレームシフト”か“同期コードの誤検知／トラック外れ”を識別できる所にこの発明の一実施の形態の大きな特徴がある。
【０１０７】
図１８において各Ｃａｓｅでのパターンの変化状況は列方向（縦方向）にまとめて記載している。例えばＣａｓｅ１では、予定した組み合わせパターンと２箇所以上異なり、予定パターンに対して±１SYNC Frameずれたパターンに一致していれば“フレームシフト”と見なす。これに対して、Ｃａｓｅ２では、“予定パターンと１箇所のみ異なる”“予定パターンに対して±１SYNC Frameずれたパターンに一致”“検出されたパターンが（１,１,２）、（１,２,１）、（１,２,２）、（２,１,２）のいずれに該当”の３つの状況が重ならないと“フレームシフト”が起きたと見なされない。
【０１０８】
〔この発明の一実施の形態の個々のポイントとその個々ポイント毎の独自効果説明〕
Ｊ）配置を工夫し、連続３個ずつの同期コードの組み合わせが１個ずれた時のコード変化数を２以上にする（図１６〜図１８）
…  ［効果］情報記憶媒体表面に付着したゴミや傷、あるいは記録膜（光反射膜）上の微細な欠陥等により記録された同期コードが正しく読めず誤って別の同期コード番号として認識される（誤検知）事がしばしば起こる。従来のＤＶＤの同期コード配列では隣接する同期コードの組み合わせパターン間で１箇所のみSYNC Code番号が変化する場所が存在している。そのため、１箇所同期コードのSYNC Code番号を読み違える（誤検知する）とフレームシフトが生じたと誤って判断され、誤った位置に再同期を掛けられて（リセットされて）しまう。この場合、Sync Frame 内の同期コードを除いた残りのフレームデータは例えば図１３に示すＥＣＣブロック内の間違った位置に割り当てられてエラー訂正処理されてしまう。
【０１０９】
１Sync Frame分のフレームデータ量は図１３に示すＥＣＣブロックを構成する左右の小ＥＣＣブロック内での半ライン分に相当する。従って、上記の誤検知により１Sync Frame分ＥＣＣブロック内での割り当て位置を間違われると、大幅にエラー訂正能力が低下し、ＥＣＣブロック内の全データにまで影響が波及する。
【０１１０】
この発明の一実施の形態のように、連続３個ずつの同期コードの組み合わせが１個ずれた時のコード変化数が２以上になるように同期コード配列を工夫する事で、情報記憶媒体表面に付着したゴミや傷、あるいは記録膜（光反射膜）上の微細な欠陥等により同期コード番号を誤検知したとしても、フレームシフトが生じたと誤って判断され事が少なく、ＥＣＣブロックによるエラー訂正能力の大幅な劣化を防止できる。
【０１１１】
更に、同期コードの組み合わせパターン内で１箇所だけ予想外のSYNC Code番号が検出されたとしても、“同期コードの誤検知か否か”を判定できるため、誤検知結果に対して自動的に正しいSYNC Code番号に直す『自動修正処理』（図３７のＳＴ７）が可能になる。その結果、従来のＤＶＤと比べて、同期コードの検出およびそれを用いた同期処理の信頼性が飛躍的に向上する。
【０１１２】
○ ガード領域を含まないセクター構造が繰り返す配置でもコード変化数が２以上になるように工夫；
○ ガード領域を挟んでセクター構造が配置される場合でもコード変化数が２以上になるように工夫；
…  ［効果］ 図２０と図２３に示すように再生専用情報記憶媒体におけるデータ記録形式が２種類存在した場合でもデータ記録形式に依らず追記形情報記憶媒体と記録形情報記憶媒体に関しても同期コード配列を利用した同じ検出方法が利用できるため、同期検出から見た媒体種類および（再生専用情報記憶媒体における）データ記録形式に関する互換性が確保可能となる。その結果、媒体種類や記録形式に依らず同期コード配列を利用した検出処理回路／処理プログラムの共通化が図れ、情報記録再生装置内の簡素化と低価格化が可能となる。
【０１１３】
４〕この発明の一実施の形態に係る再生専用情報記憶媒体（次世代ＤＶＤ−ＲＯＭ）における第１の実施例（Ｃ）
この発明の一実施の形態では、再生専用情報記憶媒体（次世代ＤＶＤ−ＲＯＭ）における記録データのデータ構造は２種類許容し、記録するデータ内容によりコンテンツプロバイダーがどちらか一方を選択可能としている。
【０１１４】
4-1）この発明の一実施の形態の再生専用情報記憶媒体（次世代ＤＶＤ−ＲＯＭ）の第１の実施例におけるデータ構造説明
図１９は、情報記憶媒体上での記録データのデータ単位の一例を説明する図である。図１９の情報記憶媒体２２１は、図１４〜図１７のシンクフレーム構造を用いて、デジタル情報が、複数セクターで区切られた領域４０１（ＥＣＣブロック）に記録されるように構成される。
【０１１５】
この発明の一実施の形態では、情報記憶媒体２２１の種類（再生専用／追記可能形／書き換え可能形）に依らず、情報記憶媒体２２１上に記録されるデータは、図１９に示すような記録データの階層構造を持っている。
【０１１６】
すなわちデータのエラー検出もしくはエラー訂正が可能となる最も大きなデータ単位である一個のＥＣＣブロック４０１内は３２個のセクター２３０〜２４１から構成されている。図１９に示す各セクター２３０〜２４１は図１３に示したパック単位で記録するセクター２３１〜２３８と同じ内容を示している。図１４で既に説明し、再度図１９に示すように、各セクター２３０〜２４１内はそれぞれ２６個ずつのシンクフレーム＃０ ４２０ 〜 ＃２５ ４２９ から構成される。１個のシンクフレーム内は図１９に示すようにシンクコード４３１とシンクデータ４３２を構成する。１個のシンクフレーム内は図１４に示すように１１１６チャネルビット（２４＋１０９２）のデータが含まれ、この１個のシンクフレームが記録される情報記憶媒体２２１上の物理的距離であるシンクフレーム長４３３は至る所ほぼ一定（ゾーン内同期のための物理的距離の変化分を除いた場合）になっている。
【０１１７】
また、再生専用情報記憶媒体において複数種類の記録形式を設定可能とする所〔発明ポイント（Ｃ）に対応〕にもこの発明の一実施の形態の特徴がある。具体的には再生専用情報記憶媒体の第１の実施例と第２の実施例に示す２種類の記録形式がある。
【０１１８】
図２０は、この発明の実施の形態が再生専用情報記憶媒体に適用される場合において、第１の実施形態例と第２の実施形態例を比較してその違いを説明する図である。
【０１１９】
図２０（ａ）は第１の実施例を示し、各ＥＣＣブロック ＃１ ４１１ 〜 ＃５ ４１５ 間は物理的に詰めて連続して情報記憶媒体２２１上に記録される。それに対して第２の実施例では図２０（ｂ）に示すように各ＥＣＣブロック ＃１ ４１１ 〜 ＃８ ４１８ 間にそれぞれガード領域 ＃１ ４４１ 〜 ＃８ ４４８ が挿入配置されている所が異なる〔発明ポイント（Ｈ）に対応〕。各ガード領域 ＃１ ４４１ 〜 ＃８ ４４８ の物理的長さは前記シンクフレーム長４３３に一致している。
【０１２０】
図１４から分かるように情報記憶媒体２２１に記録されるデータの物理的距離は前記シンクフレーム長４３３を基本単位として扱われているため、前記各ガード領域 ＃１・４４１〜 ＃８・４４８ の物理的長さもシンクフレーム長４３３に一致させることで情報記録媒体２２１上に記録されるデータに対する物理配置の管理やデータへのアクセス制御が容易になるという効果を持つ。
【０１２１】
4-2）この発明の一実施の形態に係る再生専用情報記憶媒体（次世代ＤＶＤ−ＲＯＭ）の第２の実施例との共通部分
Lead-inとLead-outの部分は、詰めて記録するデータ構造とする；
…  ［効果］情報記憶媒体内の全領域に渡りデータ構造が異なると、再生装置が情報記憶媒体の再生を初めて開始する時にどちらで対応すれば良いか迷い、再生開始時間が必要以上に掛かってしまう。情報記憶媒体の一部（Lead-inとLead-outの部分）のデータ構造を共通とする事で起動時（情報記憶媒体装着直後の情報再生装置または情報記録再生装置の再生開始時）にまず最初にその部分にアクセスし、最低限必要な情報を同一フォーマットで再生が行える。従って起動時に安定かつ高速に再生を開始する事が可能となる
4ー3）２種類のフォーマットの識別情報の記録場所〔発明ポイント（Ｃ）に対応〕
○ 同一ディスク内ではフォーマットは共通とする（ディスクの途中からフォーマット変更不可）；
他の実施例として、
○ 記録するコンテンツ内容に応じて同一ディスク内で２フォーマット混在を許す；
また、
○ ＤＶＤ−ＲＯＭのフォーマット識別フラグ情報（２案を一部含むか）をディスクに記録する；
☆フォーマット識別フラグ情報を共通のフォーマット領域内に記録する；
図１７に示したControl Data Zone内に記録する；
☆フォーマット識別フラグ情報は記録可能領域に記録する；
書き換え可能形情報記憶媒体に対しては（図示して無いが）Rewritable data zone内のDisc identification zone内に上記識別フラグを持たせる。
【０１２２】
５〕この発明の一実施の形態の再生専用情報記憶媒体（次世代ＤＶＤ−ＲＯＭ）における第２の実施例
5-1）ＥＣＣブロック間に“ＲＯＭ対応ガード領域”を配置する構造説明
この発明の一実施の形態に係る再生専用情報記憶媒体における第２の実施例に示す記録形式は上述し図２０（ｂ）に示すように各ＥＣＣブロック＃１ ４１１ 〜＃８ ４１８ 間にガード領域＃１・４４１ 〜＃８・４４８ を挿入配置した構造となっている〔発明ポイント（Ｃ）に対応〕。
【０１２３】
5ー2）第２の実施例における“ＲＯＭ対応ガード領域”内の具体的なデータ構造説明〔発明ポイント（Ｈ）に対応〕
従来のＲＯＭメディアにおける再生動作では、先ず要求データブロックが含まれた誤り訂正ブロックを読み出す必要があり、現在位置から指定ブロックが存在するであろう位置をブロック番号差などから計算し、位置を予測してシーク動作を開始する。予測された指定場所までシーク後に、情報データから読出しクロックを抽出してチャネルビット同期やフレーム同期信号の検出並びにシンボル同期を行い、シンボルデータを読出し、その後にブロック番号を検出して指定ブロックであることを確認する事になる。
【０１２４】
即ち、一般のＲＯＭメディア再生では、情報ピットによるＲＦ信号しか検出信号が存在しない為、ディスク回転制御や情報線速度、更にはデータ読出しクロックであるチャネルビット読出しクロック生成など、全てがＲＦ信号に委ねられる。記録再生メディアでは、記録場所を指定するために、この発明の一実施の形態の目指す所であるアドレス情報等が、データ情報の記録とは別の信号形態で存在する事から、チャネルビットクロック生成ＰＬＬなどは、そのような信号を用いて、線速度等を検出する事が可能であり、ＰＬＬの発信周波数を正しいチャネルビットクロック周波数の近傍に制御させておくことが可能となる。このためＰＬＬのロックアップタイムを短縮できるだけでなく、暴走防止も可能など最適なシステムの提供が可能になっている。
【０１２５】
しかしながら、ＲＯＭメディアではこのような信号が利用できない事から同様の制御システムが利用できない為、従来情報信号の最大符号長（Ｔｍａｘ）や最短符号長（Ｔｍｉｎ）信号を利用するなどでシステムを構築していた。即ち、ＲＯＭメディアでは如何にＰＬＬを早期ロック状態にする事ができるかが重要であり、その為の信号形態の提供が望まれていた。しかし、既存のＣＤやＤＶＤにおけるＲＯＭメディアは、記録密度のみに着目してデータ／トラック構造が決められ、その後に記録再生メディアのデータ／トラック構造を構築した事から、メディア毎に異なるデータストリームなどになっている。
【０１２６】
ＲＯＭメディアやＲ／ＲＡＭなどの記録再生メディアのデータストリームを近似させながら、更に次世代メディアの記録方式開発にあたっては、記録密度向上施策が導入が検討されている。この記録密度向上技術の一つとして、変調効率向上があり、記録再生ビーム径に対する最短ピット長（Ｔｍｉｎ）の縮小される、新しい変調方式導入が考えられている。ビーム系に対して最短ピット長が縮小されると、信号振幅は取れなくなりデータの読出しはＰＲＭＬ技術などで可能になっても、チャネルビット分離を行うチャネルビットクロック生成用ＰＬＬの位相検出が困難となる。上記に記載したとおりピット信号のみに頼るＲＯＭメディアでのＰＬＬロック容易性は、高密度化技術の導入で益々厳しくなる事から、高速シーク等も難しくなり、そのための補助信号挿入が必要になってきている。
【０１２７】
この発明の一実施の形態に係る再生専用情報記憶媒体における第２の実施例に示す記録形式は、上述し図２０（ｂ）に示すように、ＲＯＭメディアも各ＥＣＣブロック＃１・４１１〜＃８・４１８間にガード領域＃１・４４１〜＃８・４４８を挿入配置した構造とし、ガード領域にシーク容易性並びにチャネルビットクロック生成用ＰＬＬのロック容易性に必要な信号を挿入する事で、記録再生メディアの再生処理と同様な制御が実現可能を実現する目的もある。
【０１２８】
図２１は、ＲＯＭメディアにおけるガード領域の一例を示した図である。ガード領域は、SYNC Code:ＳＹ１と、Specific code:1002から構成される。Specific code:1002は誤り訂正ＥＣＣブロックナンバーやSegment-NO、更に著作権保護信号やその他の制御情報信号で構成される。Specific code:1002は、データ領域では構成されない特殊制御信号を配置させることに利用できる。それには例えば著作権保護信号やメディア固有情報信号等があり、そのような特殊情報領域を確保しておく事で、システム発展性も可能になる。
【０１２９】
図２２は、別の例を示した図である。図２２の例では、図２１のSpecific code:1002の領域を、チャネルビットクロック生成用ＰＬＬが容易にロック状態に入れるようなランダム信号（Random code 1003）の配置に利用している。
【０１３０】
従来ＤＶＤ−ＲＡＭ等の記録メディアではＰＬＬが容易にロック状態を実現できるよう、一定符号長の繰り返し信号（ＶＦＯ：Variable Frequency Oscillator）を挿入していた。ＲＯＭメディアでは、トラッキングエラー信号検出方法として位相差検出法が採用される可能性が高く、この位相差検出法では、隣接トラックの信号パターンが本トラックの信号パターンと近似したまま続くと、隣接トラックからのクロストークによってトラッキングエラー信号が検出出来なくなる現象が発生する。このため、記録メディアなどに使われる一定周期の信号で構成されるＶＦＯ信号の採用は問題がある。一方で、高密度化対応としてＰＲＭＬ方式等使われる場合の最短符号長では、チャネルビットクロック生成ＰＬＬでの位相差検出が困難な信号が多くなる。当然ＰＬＬの位相ロック容易化からは、位相検出回数が多いほうが検出感度が高くなるため、その点を考慮する必要がある。
【０１３１】
そこで、図２２におけるRandom code 1003の部分は、ＰＬＬ位相検出に信頼性がない最短ピット側の一部符号長と検出回数が少なくなる最長ピット側の一部符号長を削除した、限定された符号長の組合せによるランダム信号を導入するように構成される。即ち、ラン長制限された符号によるランダム信号が利用される。
【０１３２】
なお、図２１におけるSpecific code:1002もセグメントナンバーで初期値が指定される乱数発生器からのランダム信号でスクランブルする事も考えられる。このときのスクランブルデータを記録信号に変調する時、変調テーブルを変形して、ラン長制限された記録信号ストリームになるよう構成する事が望ましい。このような処理によって、現行DVD-ROMのデータ領域で対応しているスクランブル処理機能と同様に、Specific code:1002の領域での隣接トラックパターン一致を防止する事が可能になる。
【０１３３】
６〕この発明の一実施の形態に係る記録可能形情報記憶媒体と上記再生専用情報記憶媒体（次世代ＤＶＤ−ＲＯＭ）とのフォーマット上の関係説明
図２３は、種々な情報記憶媒体（再生専用、追記型、書換型）毎のデータ記録形式例を比較して説明する図である。図２３を用いて、この発明の一実施の形態における記録可能形記憶媒体と再生専用情報記憶媒体での記録形式（フォーマット）上の関係を説明する。図２３（ａ）と（ｂ）は、図２０に示した再生専用情報記憶媒体の第１と第２の実施例をそのまま転記したものである。記録可能形情報記憶媒体に対しては再生専用情報記憶媒体の第２の実施例と同じく、各ＥＣＣブロック＃１・４１１〜＃８・４１８の間にシンクフレーム長４３３と同じ長さのガード領域を設けている。但し、再生専用情報記憶媒体と図２３（ｃ）に示す追記形情報記憶媒体のガード領域＃２・４５２〜＃８・４５８とではそれぞれガード領域に記録するデータ（記録マーク）のパターンが異なる。
【０１３４】
同様に、図２３（ｂ）に示す再生専用情報記憶媒体のガード領域＃２・４４２〜＃８・４４８と図２３（ｄ）に示す書き換え形情報記憶媒体のガード領域＃２・４６２〜＃８・４６８ではそれぞれヘッダ領域に記録するデータ（記録マーク）のパターンが異なる。それにより、情報記憶媒体２２１の種別判別が可能となる。
【０１３５】
この発明の一実施の形態によれば、追記形情報記憶媒体及び書き換え形情報記憶媒体いずれの場合も、ＥＣＣブロック＃１・４１１〜＃８・４１８単位で情報の追記、書き換え処理が行われる。
【０１３６】
また、この発明の一実施の形態では、図２３（ａ）〜（ｄ）のいずれにおいても各ガード領域４４２〜４６８の開始位置には（図示してないが）ＰＡ（Postamble）領域が形成され、更にそのＰＡ領域の先頭位置には図１７のＰＡ欄に示すようにSYNC Code番号“１”の SYNC Code（ＳＹ１）が配置されている。
【０１３７】
再生専用情報記録媒体のガード領域の利用方法に関しては、前記〔５〕項で説明したが、ここで改めて再生専用情報記録媒体と記録可能型情報記録媒体について、その違いからくるガード領域の利用方法について、図２３（ｂ）（ｃ）（ｄ）を参照して説明する。
【０１３８】
なお、ここで示した追記型情報記録媒体は、記録動作が一回のみのライトワンス型記録媒体であり、通常は連続した記録処理が行われるが、特定のブロック単位で記録する場合は、前に記録したブロックに連続して、追記方式で次にデータブロックを記録する方式が採られる。そのため、図２３では追記型情報記録媒体と読んでいる。
【０１３９】
各メディアのガード構造に違いを説明する前に、再生専用情報記録媒体と記録再生形媒体のデータストリームの違いを説明しておく。再生専用情報記録媒体は、チャネルビット及びシンボルデータの関係が、ガード領域も含めて全データブロックで、指定された関係で連続している。しかしながら、追記型情報記録媒体では、記録動作が停止したブロック間では、少なくともチャネルビットの位相は変化してしまう。書き換え型情報記録媒体では、ＥＣＣブロック単位で書き換えるため、ＥＣＣブロック単位で位相が変化してしまう可能性が高い。即ち、再生専用媒体では、チャネルビット位相は最初から最後まで連続しているが、記録形媒体では、ガード領域内でチャネルビット位相が大きく変化してしまう性質がある。
【０１４０】
一方、記録形媒体では記録トラックは物理的に記録トラック溝が構成され、その溝は記録レート制御やアドレッシング情報の挿入などの目的で、ウォブリングされている。このことから、チャネルビットクロック生成ＰＬＬの発信周波数を制御可能であり、可変速再生などの処理動作においても、発信周波数の暴走防止が可能である。但し、追記型情報記録媒体では、記録完了後の媒体は再生専用として用いられる事から、〔５〕項で説明したトラッキングエラー検出方法が位相差方式を導入された場合の配慮である、隣接トラック間での記録信号パターン一致は避けたい。
【０１４１】
書き換え型情報記録媒体では、一般にトラッキングエラー検出法として位相差方式（ＤＰＤ：Differential Phase Detection）が利用されない構造の場合は、隣接トラックでの情報信号パターン一致に対しては問題が生じないため、ガード領域はチャネルクロック生成ＰＬＬが容易にロックできるような構造、即ち図２２におけるRandom code 1003領域はＶＦＯのような一定周期の信号が望ましい。
【０１４２】
このような媒体の種類で、異なる性質があることから、図２３の（ｂ）ガード領域４４２・（ｃ）ガード領域４５２・（ｄ）ガード領域４６２では、その構造が媒体の特質を考慮した最適化されたデータ構造を導入される。
【０１４３】
再生専用情報記録媒体のヘッダ領域では、線速度検出が容易なパターン及びランダム信号によるチャネルビット生成ＰＬＬのロック容易化信号が適する。
【０１４４】
追記型情報記録媒体のヘッダ領域は、チャネルビットクロック生成用ＰＬＬの発信周波数はウォブリング検出で暴走防止がされて近傍制御が可能であるから、ヘッダ領域での位相変動に対処した、ランダム信号によるチャネルビット生成ＰＬＬのロック容易化信号で構成するとよい。
【０１４５】
書き換え型情報記録媒体は、ＰＬＬロック容易化は一定周期のＶＦＯパターンが導入可能であり、その他ヘッダマーク信号等で構成することが最適である。
【０１４６】
なお、これら情報記録媒体の種別でガード領域を異ならせる事によって、メディア識別が容易となる。また、著作権保護システムからも再生専用と記録可能型媒体が異なる事により、保護能力を向上させる事になる。
【０１４７】
〔この発明の一実施の形態の個々ポイントとその個々ポイント毎の独自効果説明〕
Ｈ）ＥＣＣブロック間のガード領域配置構造（図２３）
…  ［効果］再生専用／追記形／書き換え形 間の識別が高速かつ容易に可能となる；
○ 再生専用／追記形／書き換え形 間でデータ内容を変える（ → 識別に利用するため）；
○ ＤＶＤ−ＲＯＭ ヘッダ にランダム信号を利用する；
…  ［効果］隣接トラック間で位置が一致しても ＤＶＤ−ＲＯＭ ヘッダ位置で安定してＤＰＤ信号検出が行える。
【０１４８】
図２４は、この発明の一実施の形態における書き換え可能形情報記録媒体のゾーン構造を示す。
【０１４９】
7ー1）ゾーン構造の説明
この発明の一実施の形態における書き換え可能形情報記憶媒体では図２４に示すようにゾーン構造を取る。この発明の一実施の形態では、
再生線速度          :  5.6m/s
チャネル長          :  0.086μm
トラックピッチ      :  0.34μm 
チャネル周波数      :  64.8MHz
記録データ(RF信号):  (1,7)RLL
ウォブル搬送波周波数:  約700kHz    (93T/Wobble)
変調位相差[deg]    :  ±90.0          
Segment／track    :１２〜２９セグメント
Zone               :  １８ゾーン程度
としている。
【０１５０】
7ー2）この発明の一実施の形態におけるアドレス情報の記録形式説明（位相変調＋ＮＲＺ法によるウォーブル変調）
この発明の一実施の形態では、記録形情報記憶媒体におけるアドレス情報はウォーブル変調を用いてあらかじめ記録されている。ウォーブル変調方式として±９０度（１８０度）の位相変調を用いると共にＮＲＺ（ Non Returen to Zero）方法を採用している。また、書き換え形情報記憶媒体に対してはＬ／Ｇ（Land and Groove）記録方法を使っている。Ｌ／Ｇ記録方法でウォーブル変調方式を採用している所にも、この発明の一実施の形態の大きな特徴がある。
【０１５１】
図２５は、ウォーブル変調における１８０°位相変調とＮＲＺ法を説明する図である。図２５を用いて具体的な説明を行う。この発明の一実施の形態では、１アドレスビット（アドレスシンボルとも呼ぶ）領域５１１内を８ウォーブルまたは１２ウォーブルで表現し、１アドレスビット領域５１１内は至る所周波数および振幅と位相は一致している。また、アドレスビットの値として同じ値が連続する場合には各１アドレスビット領域５１１の境界部（図２５の“黒の三角印”を付けた部分）で同位相が継続し、アドレスビットが反転する場合にはウォーブルパターンの反転（位相の１８０度シフト）が起きる。
【０１５２】
〔この発明の一実施の形態の個々ポイントとその個々ポイント毎の独自効果説明〕
Ｏ）Ｌ／Ｇ 記録において１８０度（±９０度）のウォーブル位相変調を採用する（図２５）
…  ［効果] “ Ｌ／Ｇ 記録 ＋ グルーブのウォーブル変調 ”においてグルーブのトラック番号が変わる事によるランド上で不定ビットが発生すると、その上に記録された記録マークからの再生信号の全体レベルが変化し、そこでの記録マークからの再生信号のエラー率が局所的に悪化すると言う問題がある。しかし、この発明の一実施の形態のようにグルーブに対するウォーブル変調を１８０度（±９０度）の位相変調にする事でランド上での不定ビット位置ではランド幅が左右対称でかつ正弦波の形で変化するため、記録マークからの再生信号の全体レベル変化が正弦波形状に近い非常に素直な形になる。更に安定にトラッキングが掛かっている場合には事前にランド上での不定ビット位置が予想できる。従って、この発明の一実施の形態によれば、記録マークからの再生信号に対して回路的に補正処理を掛けて再生信号品質を改善し易い構造を実現できる。
【０１５３】
7ー3）Ｌ／Ｇ 記録方法とウォーブル変調による不定ビット混入の説明
情報記憶媒体２２１上のアドレスを示す情報として、この発明の一実施の形態における書き換え可能形情報記憶媒体では、ゾーン識別情報であるゾーン番号情報とセグメントアドレス情報であるセグメント番号情報およびトラックアドレス情報を示すトラック番号情報の３種類のアドレス情報を持つ。セグメント番号は１周内の番号を意味し、トラック番号はゾーン内の番号を意味している。図２４に示すゾーン構造を採用した場合には、上記アドレス情報の内ゾーン識別情報とセグメントアドレス情報は隣接トラック間で同じ値を取るが、トラックアドレス情報に関しては隣接トラック同士で異なるアドレス情報を取る。
【０１５４】
図２６は、ランド（Ｌ）／グルーブ（Ｇ）記録でウォーブル変調を行なった場合の不定ビット発生の原理を説明する図である。図２６に示すように、グルーブ領域５０１においてトラックアドレス情報として“ … ０１１０ … ”が記録され、グルーブ領域５０２においてトラックアドレス情報として“ … ００１０ … ”が記録され場合を考える。この場合、隣接するグルーブ領域で“１”と“０”の間に挟まれたランド領域５０３ではランド幅が周期的に変化し、ウォーブルによるアドレスビットが確定しない領域が発生する。この発明の一実施の形態ではこの領域の事を“不定ビット領域５０４”と呼ぶ。
【０１５５】
この不定ビット領域５０４を集光スポットが通過すると、ランド幅が周期的に変化するため、ここから反射し、対物レンズ（図示しない）を通過して戻ってくるトータル光量が周期的に変化する。前記ランド内の不定ビット領域５０４内にも記録マークを形成するため、この記録マークに対する再生信号が上記の影響で周期的に変動し、再生信号検出特性を劣化（再生信号のエラーレイトの悪化）を引き起こすと言う問題が発生する。
【０１５６】
7ー4）この発明の一実施の形態に採用されるグレイコードと特殊トラックコード（この発明の一実施の形態対象）に付いての内容説明
この発明の一実施の形態では上記不定ビット５０４領域の発生頻度の低減を目指し、既存に知られている“グレイコード”もしくは前記グレイコードを改良し、この発明の一実施の形態で新たに考案した特殊トラックコードを使用する〔発明ポイント（Ｏ）に対応〕。
【０１５７】
図２７は、グレイコードの例を示す。１０進数で“１”変化する毎に“１ビットのみ変化”する（交番２進的になる）所にグレイコードの特徴がある。
【０１５８】
図２８は、この発明の一実施の形態で新規に提案する特殊トラックコードを示す。この特殊トラックコードは、１０進法の値で“２”変化する毎に“１ビットのみ変化”する（トラック番号ｍとｍ＋２が交番２進的になる）と共に、整数値ｎに対して２ｎと２ｎ＋１の間では最上位ビットのみが変化し、それ以外の全下位ビットが全て一致する特徴を持っている。
【０１５９】
この発明の一実施の形態における特殊トラックコードは、上記の例に限らず、１０進法の値で“２”変化する毎に“１ビットのみ変化”する（トラック番号ｍとｍ＋２が交番２進的になる）と共に、２ｎと２ｎ＋１の間である“特定の関係を保持”しながらアドレスビットが変化する特徴を持っているコードを設定する事でもよい。
【０１６０】
〔この発明の一実施の形態の個々ポイントとその個々ポイント毎の独自効果説明〕
Ｐ）トラックアドレスに対してグレイコードまたは特殊トラックコードを採用する（図２７、図２８）
…  ［効果] “ Ｌ／Ｇ 記録 ＋ グルーブのウォーブル変調 ”においてグルーブのトラック番号が変わる事によるランド上での不定ビット発生頻度を抑える。ランド上での不定ビット位置ではランド幅が左右対称な形で局所的に変化する。その結果ランド上での不定ビット位置からはウォーブル検出信号が得られないばかりか、その上に記録された記録マークからの再生信号の全体レベルが変化し、そこでの記録マークからの再生信号のエラー率が局所的に悪化する問題がある。このようにランド上での不定ビット発生頻度を抑える事により上記問題箇所の発生頻度を抑え、ウォーブル検出信号と記録マークからの再生信号の再生安定化を図れる。
【０１６１】
８〕ウォーブルアドレスフォーマット配置に関する実施例説明
8-1）セグメントフォーマットの実施例説明
図２９は、書き換え型情報記憶媒体上に記録される書き換え可能データの記録方法例を説明する図である。書き換え形情報記憶媒体に記録する書き換え可能なデータの記録フォーマットを図２９に示す。図２９（ａ）は前述した図２３（ｄ）と同じ内容を示している。この発明の一実施の形態では、書き換え可能なデータはＥＣＣブロック毎の書き換えを行う。書き換え単位内の書き換え可能なデータ構造を図２９（ｃ）に示す。ＥＣＣブロック＃２情報の書き換え単位５３１で情報記憶媒体に対する書き換え可能なデータの書き換えを行うが、ＥＣＣブロック＃２内の書き換え可能データ５２５のデータ内容は、図２３に示すように、再生専用情報記憶媒体（図２３（ａ）（ｂ））、追記形情報記憶媒体（図２３（ｃ））など媒体の種類に依らず全て同じ形式のデータ構造を持っており、それぞれ９６７２バイト分のデータが記録可能になっている。すなわちＥＣＣブロック＃２内の書き換え可能データ５２５のデータ内容は図１３に示す構造を有する。ＥＣＣブロックを構成する各セクターデータは図１９あるいは図１４（データフィールド構造）に示すように２６個ずつのシンクフレームから構成される。
【０１６２】
図２９（ｃ）に示すようにＥＣＣブロック＃２情報の書き換え単位５３１内はＥＣＣブロック＃２内の書き換え可能データ５２５に先行してコピープロテクション対応のコピー情報領域５２４分に２バイト割り当てて有り、その前にＶＦＯ領域の終わり位置を示すプリシンク領域５２３に３バイト設定されている。３５バイト分設定してあるＶＦＯ（Variable Frequency Oscillator）領域５２２は書き換え可能データ５２５再生時の同期合わせように利用される。書き換え可能データ５２５の直後には書き換え可能データ５２５の終了位置を示すポストアンブル領域５２６が配置されている。
【０１６３】
ＥＣＣブロック＃２情報の書き換え単位５３１の先端部と後端部には前側ガード領域５２１、と後ろ側ガード領域５２７が配置されている。前側ガード領域５２１は３０バイト＋Ｊ、後側ガード領域５２７は２２バイト−Ｊとなっており、“Ｊ”の値を変える事でセグメント＃２情報の書き換え単位５３１の書き出し／書き終わり位置を変化させる“ランダムシフト”が可能になっている。相変化形記録膜の場合には書き換え可能なデータの書き出し／書き終わり位置で顕著に記録膜の特性劣化が起こり易いと言う特徴があるが、この発明の一実施の形態では、上記のようにランダムシフトする事で、相変化形記録膜の特性劣化を防止する事が出来る。
【０１６４】
書き換え単位の物理的範囲の比較をするため、図２９（ｂ）にＥＣＣブロック＃１情報の書き換え単位の一部５３０を、図２９（ｄ）にＥＣＣブロック＃３情報の書き換え単位の一部５３２を示している。書き換え時の重複箇所５４１、５４２で前側ガード領域５２２と後側ガード領域５２７が一部重複するように書き換えを行う所にこの発明の一実施の形態の特徴がある〔発明ポイント（Ｉ）に対応〕。そのように一部重複させて書き換えする事で片面２記録層の記録可能な情報記憶媒体における層間クロストークを除去できる。
【０１６５】
〔この発明の一実施の形態の個々ポイントとその個々ポイント毎の独自効果説明〕
Ｉ）記録可能な情報記憶媒体に対する記録フォーマットでガードエリアが一部重複して記録される；
図２９に示すように、前側ガード領域５２１と後側ガード領域５２７が重複し、書き換え時の重複箇所５４１、５４２が生じる；
…  ［効果] セグメント間で前と後ろのガードエリア間で隙間（記録マークが存在しない部分）があると記録マーク有無で光反射率の違いがあるためその隙間部分で、巨視的に見た時に光反射率の違いが発生する。そのため、片面２記録層の構造にした場合にその部分からの影響で他層からの情報再生信号が乱れ、再生時のエラーが多発する。この発明の一実施の形態のようにガードエリアを一部重複させる事で、記録マークが存在しない隙間の発生を防止し、片面２記録層における既記録領域からの層間クロストークの影響を除去でき、安定した再生信号が得られる。
【０１６６】
図３０は、この発明の一実施の形態に係る情報記憶媒体上におけるウォーブルアドレスフォーマットの一例を説明する図である。次に図３０を用いて、この発明の一実施の形態に係る記録可能形情報記憶媒体におけるウォーブル変調を用いた、アドレス情報の記録形式について説明する。この発明の一実施の形態におけるウォーブル変調を用いたアドレス情報設定方法では、図１８に示した“シンクフレーム長を単位として割り振りを行っている”所に大きな特徴がある。
【０１６７】
図１４に示すように、１セクターは２６シンクフレームから構成され、図１３から分かるように１ＥＣＣブロックは３２セクターから成り立っているので、１ＥＣＣブロックは ２６×３２＝８３２ 個のシンクフレームから構成される。図２９に示すようにＥＣＣブロック間に存在するガード領域の長さは１シンクフレーム長に一致するので、ガード領域とＥＣＣブロックを足した長さは ８３２＋１＝８３３ 個のシンクフレームから構成される。
【０１６８】
所で、
８３３ ＝ ７ × １７ × ７                …  （１）
に素因数分解できるので、この特徴を生かした構造配置にしている。すなわち、図３０（ｂ）に示すようにガード領域とＥＣＣブロックを足した領域を“７個”のウォーブルセグメント＃０・５５０〜＃６・５５６に分割し、各ウォーブルセグメント＃０・５５０〜＃６・５５６毎にウォーブルアドレス情報６１０をウォーブル変調の形で事前に記録しておく。 さらに各ウォーブルセグメント＃０・５５０〜＃６・５５６毎にそれぞれ１７個のウォーブルデータユニット＃０・５６０〜＃１６・５７６に分割する（図３０（ｃ））。
【０１６９】
（１）式から、１個のウォーブルデータユニット＃０・５６０〜＃１６・５７６の長さにはそれぞれ７個のシンクフレーム分が割り当てられる事が分かる。各ウォーブルデータユニット＃０・５６０〜＃１６・５７６の中は１６ウォーブル分の変調領域と６８ウォーブル分の無変調領域５９０、５９１から構成される。この発明の一実施の形態では、変調領域に対する無変調領域５９０、５９１の占有比を大幅に大きくしている所に大きな特徴がある。
【０１７０】
無変調領域５９０、５９１は常に一定周波数でブルーブまたはランドがウォーブルしているため、この無変調領域５９０、５９１を利用してＰＬＬ（Phase Locked Loop）を掛け、情報記憶媒体に記録された記録マークを再生する時の基準クロックまたは新たに記録する時に使用する記録用基準クロックを、安定に抽出（生成）する事が可能となる。このように、この発明の一実施の形態では、変調領域に対する無変調領域５９０、５９１の占有比を大幅に大きくする事で再生用基準クロックの抽出（生成）または記録用基準クロックの抽出（生成）の精度と抽出（生成）安定性を大幅に向上させる事が出来る。
【０１７１】
無変調領域５９０、５９１から変調領域に移る時には４ウォーブル分を使って変調開始マーク５８１、５８２を設定し、この変調開始マーク５８１、５８２を検出直後にウォーブル変調されたウォーブルアドレス領域５８６、５８７が来るように配置されている。実際にウォーブルアドレス情報６１０を抽出するには、図３０（ｄ）（ｅ）に示すように各ウォーブルセグメント＃０・５５０〜＃６・５５６内での無変調領域５９０、５９１と変調開始マーク５８１、５８２を除いたウォーブルシンク領域５８０と各ウォーブルアドレス領域５８６、５８７を集めて、図３０（ｅ）に示すように再配置する。
【０１７２】
この発明の一実施の形態では図２５に示すように１８０度の位相変調とＮＲＺ法（Non Return to Zero）を採用しているのでウォーブルの位相が“０度”か“１８０度”かでアドレスビット（アドレスシンボル）の“０”か“１”かを設定している。
【０１７３】
図３０（ｄ）に示すようにウォーブルアドレス領域５８６、５８７では１２ウォーブルで３アドレスビットを設定している。つまり、連続する４ウォーブルで１アドレスビットを構成している。
【０１７４】
この発明の一実施の形態では図２５に示すようにＮＲＺ法を採用しているので、ウォーブルアドレス領域５８６、５８７内では連続する４ウォーブル内で位相が変化する事は無い。この特徴を利用してウォーブルシンク領域５８０と変調開始マーク５６１、５８２のウォーブルパターンを設定している。すなわちウォーブルアドレス領域５８６、５８７内では発生し得無いウォーブルパターンをウォーブルシンク領域５８０と変調開始マーク５６１、５８２に対して設定する事でウォーブルシンク領域５８０と変調開始マーク５６１、５８２の配置位置識別を容易にしている。
【０１７５】
この発明の一実施の形態では連続する４ウォーブルで１アドレスビットを構成するウォーブルアドレス領域５８６、５８７に対して変調開始マーク５６１、５８２位置とウォーブルシンク領域５８０位置では１アドレスビット長を４ウォーブル以外の長さに設定している所に特徴がある。すなわち変調開始マーク５６１、５８２位置では４ウォーブルを更に２分割して２ウォーブルずつに分け、図３０（ｄ）に示すようにウォーブルビットが“１”“０”と変化するように設定している。また、ウォーブルシンク領域５８０ではウォーブルビットが“１”になる領域を４ウォーブルとは異なる“６ウォーブル”に設定すると共に、１個のウォーブルデータユニット＃０・５６０内での変調領域（１６ウォーブル分）全てをウォーブルシンク領域５８０に割り当てる事で、ウォーブルアドレス情報６１０の開始位置（ウォーブルシンク領域５８０の配置位置）の検出容易性を向上させている。
【０１７６】
ウォーブルアドレス情報６１０の中身は、次のようになっている：
１．トラック情報６０６、６０７
…  ゾーン内のトラック番号を意味し、グルーブ上でアドレスが確定する（不定ビットを含まない→ランド上で不定ビットが発生する）グルーブトラック情報６０６とランド上でアドレスが確定する（不定ビットを含まない→グルーブ上で不定ビットが発生する）ランドトラック情報６０７が交互に記録されている。また、トラック情報６０６、６０７の部分のみトラック番号情報が図２７で示したグレイコードまたは図２８で示した特殊トラックコードで記録されている。
【０１７７】
２．セグメントアドレス情報６０１
…  トラック内（情報記憶媒体２２１内での１周内）でのセグメント番号を示す情報。セグメントアドレス情報６０１としてセグメント番号を“０”からカウントするとセグメントアドレス情報６０１内に６ビット“０”が続く“００００００”のパターンが現れてしまう。この場合には図２５に示すようなアドレスビット領域５１１の境界部（“黒の三角印”の部分）の位置検出が難しくなり、アドレスビット領域５１１の境界部の位置をずれて検出するビットシフトが発生し易くなる。その結果、ビットシフトによるウォーブルアドレス情報の誤判定が起きる。
【０１７８】
上記の問題を回避するため、この発明の一実施の形態ではセグメント番号として“０００００１”からカウントしている。ここにも、この発明の一実施の形態の特徴がある〔発明ポイント（Ｋ）に対応〕。
【０１７９】
３．ゾーン識別情報６０２
…  情報記憶媒体２２１内のゾーン番号を示し、図２４に示した“ Ｚｏｎｅ（ｎ）”の“ｎ”の値が記録される。
【０１８０】
４．記録層（レイヤ）識別情報６０３
…  この発明の一実施の形態の情報記憶媒体２２１においては、再生専用、追記形、書き換え形いずれも、図３、図１９に示すように、記録層Ａ・２２２と記録層Ｂ・２２３を持ち、いずれも同一面側から再生もしくは記録再生可能な“片面２記録層”の構造を有している。現在再生もしくは記録している記録層が記録層Ａ・２２２と記録層Ｂ・２２３のいずれの層に対応しているかを示す情報が、記録層（レイヤ）識別情報６０３であり、記録層番号で示される。
【０１８１】
５．パリティー情報６０５
…  ウォーブルアドレス情報６１０からの再生時のエラー検出用に設定されたもので、セグメント情報６０１から予約情報６０４までの１７アドレスビットを個々に加算し、加算結果が偶数の場合には“０”、奇数の場合には“１”を設定する。
【０１８２】
６．モノトーン情報６０８
…  前述したように各ウォーブルデータユニット＃０・５６０〜＃１６・５７６の中は１６ウォーブル分の変調領域と６８ウォーブル分の無変調領域５９０、５９１から構成されように設定し、変調領域に対する無変調領域５９０、５９１の占有比を大幅に大きくしている。更に無変調領域５９０、５９１の占有比を広げて再生用基準クロックまたは記録用基準クロックの抽出（生成）の精度と安定性をより向上させている。
【０１８３】
図３０（ｅ）に示したモノトーン情報６０８が含まれる場所は、図３０（ｃ）のウォーブルデータユニット＃１６ ５７６ と、（図示して無いが）その直前のウォーブルデータユニット＃１５ 内がそっくりそのまま該当する。モノトーン情報６０８は、６アドレスビット全てが“０”になっている。従って、このモノトーン情報６０８が含まれるウォーブルデータユニット＃１６・５７６と（図示して無いが）その直前のウォーブルデータユニット＃１５内には、変調開始マーク５８１、５８２を設定せず、全て均一位相の無変調領域になっている。
【０１８４】
〔この発明の一実施の形態の個々ポイントとその個々ポイント毎の独自効果説明〕
Ｇ）ＥＣＣブロック内セグメント分割構造（図３０）
…  ［効果］再生専用／追記形／書き換え形 間のフォーマット互換性高く、特に書き換え形情報記憶媒体において記録マークからの再生信号のエラー訂正能力低下を防止できる。
【０１８５】
ＥＣＣブロック内を構成するセクター数３２とセグメント数７とが互いに割り切れない関係非倍数の関係）にあるため、記録マークからの再生信号のエラー訂正能力低下を防止可能。
【０１８６】
〔この発明の一実施の形態の個々ポイントとその個々ポイント毎の独自効果説明〕
Ｋ）アドレス情報（特にセグメントアドレス情報）に対してアドレス番号付与方法に条件を加える
…  ［効果] ウォーブルのシンボル（アドレスビット）単位での極性反転頻度を上げ、シンボル（アドレスビット）の境界位置の検出精度を上げる；
○ アドレス番号を全てのビットが同じ値になる“０”からでは無く、“１”から始める；
○ “１”または“０”が３回以上続けて現れるアドレス番号を欠番にする。
【０１８７】
〔この発明の一実施の形態の個々ポイントとその個々ポイント毎の独自効果説明〕
Ｌ）Ｌ／Ｇ 記録 ＋ ウォーブル変調によりアドレス情報を記録（図２６）
…  ［効果] 最も大容量化が可能。グルーブのみに記録マークを形成するよりグルーブとランドの両方に記録マークを形成した方が記録効率は上がる。また、アドレスがプリピットの状態で予め記録されている場合にはプリピット位置に記録マークを形成することが出来ないが、この発明の一実施の形態のようにウォーブル変調されたグルーブ／ランド領域の上にも重複して記録マークの記録が可能なため、プリピットアドレス方式よりウォーブル変調によるアドレス情報記録方法の方が記録マークの記録効率が高い。従って上記の両方の方式を採用する方法が最も大容量化に適している。
【０１８８】
〔この発明の一実施の形態の個々ポイントとその個々ポイント毎の独自効果説明〕
Ｍ）グルーブ領域にも不定ビットを分散配置する（図３０（ｅ）トラック情報６０６、６０７）
…  ［効果] ランド部でも不定ビットが入らずにトラックアドレスが確定する領域を持たせる事でランド部においても精度の良いアドレス検出が可能となる。
【０１８９】
ランド部、グルーブ部それぞれ不定ビットが入らずにトラックアドレスが確定する領域を事前に予想できるのでトラックアドレス検出精度が上がる；
○ グルーブ作成時に局所的にグルーブ幅を変え、ランド幅一定領域を作成；
☆グルーブ領域作成時に露光量を局所的に変化させてグルーブ幅を変化させる；
☆グルーブ領域作成時に２個の露光用集光スポットを用い、両者間の間隔を変えてグルーブ幅を変化させる；
○ グルーブでのウォーブル振幅幅を変えてグルーブ領域内に不定ビットを配置する。
【０１９０】
〔この発明の一実施の形態の個々ポイントとその個々ポイント毎の独自効果説明〕
Ｎ）Ｌ／Ｇ 記録 ＋ ウォーブル変調で不定ビットを Land と Groove の両方に分配配置する（図３０（ｅ）トラック情報６０６、６０７）
…  ［効果]LandまたはGrooveのどちらか一方に不定ビットを集中配置すると不定ビットが集中配置された部分でのアドレス情報再生時に誤検知が発生する頻度が非常に高くなる。不定ビットをLandとGrooveに分配配置する事で誤検知のリスクを分散し、トータルとして安定にアドレス情報を検出し易いシステムを提供できる。
【０１９１】
○ 局所的にグルーブ幅を変える時にグルーブ幅を制御し、隣接部のランド幅が一定になるようにする；
グルーブ幅変化部分ではグルーブ領域では不定ビットになるが、隣接部のランド領域では幅が一定に保たれるのでランド領域内では不定ビットを回避できる。
【０１９２】
図１４に示した同期コード配置方法に対して連続する３個の同期コードでの前後の情報の並びを利用して現在再生中のデータの物理セクター内の位置を割り出す方法を図３１〜図３５を用いて説明する。
【０１９３】
図３１は、同期コード内のシンクフレーム識別用コードの並び順から、１物理セクタ内のシンクフレーム一を割り出す方法の一例を説明する図である。図３２は、‘シンクフレーム識別用コードの並び順からシンクフレーム位置を割り出すときの具体例（図１４に例示されたデータフィールドを採用した場合）を示す図である。図３３は、この発明の一実施の形態に係る情報記録再生装置の構成を説明する図である。また図３４は、図３３の同期コード位置抽出部（検出部）１４５およびその周辺要素の詳細な構成例を説明する図である。
【０１９４】
この発明の一実施の形態における情報再生装置ないしは情報記録再生装置の構造を図３３に示す。この発明の一実施の形態では情報記憶媒体の高密度化を目指して極限近くまでチャネルビット間隔を短くしている。その結果、例えばｄ＝１のパターンの繰り返しである“１０１０１０１０１０１０１０１０１０１０１０１０”のパターンを情報記憶媒体に記録し、そのデータを情報記録再生部１４１で再生した場合には再生光学系のＭＴＦ特性の遮断周波数に近付いているため、再生生信号の信号振幅はほとんどノイズに埋もれた形に成る。従ってそのようにＭＴＦ特性の限界（遮断周波数）近くまで密度を詰めた記録マークまたはピットを再生する方法としてこの発明の一実施の形態ではＰＲＭＬ（Partial Response Maximum Likelyhood）の技術を使っている。
【０１９５】
すなわち情報記録再生部１４１から再生された信号はＰＲ等化回路１３０により再生波形補正を受ける。ＡＤ変換器１６９で基準クロック発生回路１６０から送られてくる基準クロック１９８のタイミングに合わせてＰＲ等化回路１３０通過後の信号をサンプリングしてデジタル量に変換し、ビタビ復号器１５６内でビタビ復号処理を受ける。ビタビ復号処理後のデータは従来のスライスレベルで２値化されたデータと全く同様なデータとして処理される。ＰＲＭＬの技術を採用した場合、ＡＤ変換器１６９でのサンプリングタイミングがずれるとビタビ復号後のデータのエラー率は増加する。従ってサンプリングタイミングの精度を上げるため、この発明の一実施の形態の情報再生装置ないしは情報記録再生装置では特にサンプリングタイミング抽出用回路（シュミットトリガー２値回路１５５とＰＬＬ回路１７４の組み合わせ）を別に持っている。
【０１９６】
この発明の一実施の形態の情報再生装置ないしは情報記録再生装置では２値化回路にシュミットトリガー回路を使用している所に特徴がある。このシュミットトリガー回路は２値化するためのスライス基準レベルに特定の幅（実際にはダイオードの順方向電圧値）を持たせ、その特定幅を越えた時のみ２値化される特性を持っている。従って例えば上述したように“１０１０１０１０１０１０１０１０１０１０１０１０”のパターンが入力された場合には信号振幅が非常に小さいので２値化の切り替わりが起こらず、それよりも疎のパターンである例えば“１００１００１００１００１００１００１００１”などが入力された場合に再生生信号の振幅が大きくなるのでシュミットトリガー２値化回路１５５で“１”のタイミングに合わせて２値化信号の極性切り替えが起きる。
【０１９７】
この発明の一実施の形態ではＮＲＺＩ（Non Return to Zero Invert）法を採用しており、上記パターンの“１”の位置と記録マークまたはピットのエッジ部（境界部）が一致している。
【０１９８】
ＰＬＬ回路１７４ではこのシュミットトリガー２値化回路１５５の出力である２値化信号と基準クロック発生回路１６０から送られる基準クロック１９８信号との間の周波数と位相のずれを検出してＰＬＬ回路１７４の出力クロックの周波数と位相を変化させている。基準クロック発生回路１６０ではこのＰＬＬ回路１７４の出力信号とビタビ複合器１５６の復号特性情報（具体的には図示してないがビタビ複合器１５６内のパスメトリックメモリー内の収束長（収束までの距離）の情報）を用いてビタビ復号後のエラーレートが低くなるように基準クロック１９８（の周波数と位相）にフィードバックを掛ける。
【０１９９】
図３３におけるＥＣＣエンコーディング回路１６１、ＥＣＣデコーディング回路１６２、スクランブル回路１５７、デスクランブル回路１５９はいずれも１バイト単位の処理を行っている。変調前の１バイトデータを（ｄ,ｋ；ｍ,ｎ）変調規則（前述した記載方法ではｍ／ｎ変調のＲＬＬ（ｄ,ｋ）を意味している）に従って変調すると変調後の長さは
８ｎ÷ｍ                                …  （１１）
となる。従って上記回路でのデータ処理単位を変調後の処理単位で換算すると変調後のシンクフレームデータ１０６の処理単位は（１１）式で与えられるので、同期コードと変調後のシンクフレームデータ間の処理の統合性を指向した場合、同期コードのデータサイズ（チャネルビットサイズ）は（１１）式の整数倍に設定する必要がある。従ってこの発明の一実施の形態において同期コード１１０のサイズとして
８Ｎｎ÷ｍ                              …  （１２）
にして同期コード１１０と変調後のシンクフレームデータ１０６間の処理の統合性を確保する所にこの発明の一実施の形態の大きな特徴がある。（（１２）式においてＮは整数値を意味する。）
この発明の一実施の形態の実施例として今まで
ｄ ＝ １、ｋ ＝ ９、ｍ ＝ ４、ｎ ＝ ６
で説明して来たので、その値を（１２）式に代入すると、同期コード１１０のトータルデータサイズは、
１２Ｎ                                  …  （１３）
となる。現行ＤＶＤの同期コードサイズは３２チャネルビットなので、この発明の一実施の形態に於いて同期コードのトータルデータサイズを３２チャネルビットより小さくした方が処理が簡素化され、位置検出／情報識別の信頼性が向上する。従ってこの発明の一実施の形態に於いて同期コードのトータルデータサイズは図１５に示すように２４チャネルビットにしている。
【０２００】
図３３に示した同期コード位置検出部１４５の周辺部に関する詳細構造説明図を図３４に示す。
【０２０１】
図３５は、連続する３個の同期コードの並び順からセクタ内のシンクフレーム位置を割り出す方法の一例を説明するフローチャートである。図３１（ｂ）に示すような、図３３のビタビ復号器１５６の出力データ（図３５のＳＴ５１）は、同期コード位置検出部１４５で同期コード１１０の位置を検出する（図３５のＳＴ５２）。その後、検出された同期コード１１０の情報は制御部１４３を経由して図３１（ｃ）に示すようにメモリー部１７５に順次保存される（図３５のＳＴ５３）。同期コード１１０の位置が分かれば、ビタビ復号器１５６から出力されたデータの内変調後のシンクフレームデータ１０６のみを抜き出してシフトレジスタ回路１７０へ転送できる（図３５のＳＴ５４）。次に制御部１４３はメモリー部１７５内に記録された同期コード１１０の履歴情報を読み出し、シンクフレーム位置識別用コードの並び順を識別し（図３５のＳＴ５５）、シフトレジスタ回路１７０内に一時保存された変調後のシンクフレームデータ１０６の物理セクター内の位置を割り出す（図３５のＳＴ５６）。
【０２０２】
例えば図３１に示すようにメモリー部１７５に保存された同期コードの並びが
“ＳＹ０→ＳＹ１→ＳＹ１”なら、最後の“ＳＹ０”の直後には“最新のSYNC Frame番号０２直後に配置された変調後のシンクフレームデータ”が存在し、
“ＳＹ３→ＳＹ１→ＳＹ２”なら、最後の“ＳＹ２”の直後には“最新のSYNC Frame番号１２直後に配置された変調後のシンクフレームデータ”が存在する、
と割り出す事が可能となる。
【０２０３】
このようにセクター内の位置を割り出し、希望の位置の変調後のシンクフレームデータ１０６がシフトレジスタ回路１７０内に入力された事が確認出来た場合には、そのデータを復調回路１５２に転送して復調を開始する（図３５のＳＴ５７）。
【０２０４】
図３６は、この発明の一実施の形態に係る情報記録再生装置において、複数の同期コードの並び順から異常（トラック外れなど）を検知する方法の一例を説明するフローチャートである。また、図３７は、同期コードの組み合わせパターンの検出結果が予想されたパターンと異なる場合における、異常現象の判定とその適応処理の方法の一例を説明するフローチャートである。
【０２０５】
図３６を用いて連続再生時の同期コードの組み合わせパターン検出を用いた異常検出方法について説明する。ＳＴ６４に示すように制御部１４３内で次に検出される予定の同期コードの組み合わせパターンを事前に予測し、実際に検出した同期コードの組み合わせパターンと比較して（ＳＴ６６）比較結果が一致しない場合には異常が発生したと検知する。
【０２０６】
このように検出した同期コードの組み合わせパターンが事前予測と異なっていた場合の現象推測方法と対策方法を、図３７に示す。この発明の一実施の形態では図１８に示した関係説明図を用いて推測する。図３７の処理の特徴は“検出した同期コードの組み合わせパターンが事前予測と異なる場所が１箇所か否か”を判定する所（ＳＴ３）にある。
【０２０７】
異なる場所が１箇所のみの場合、検出パターンが（１,１,２）,（１,２,１）,（１,２,２）,（２,１,２）のいずれかの場合には“フレームシフト”が発生した可能性が高く、そうで無い場合には“同期コードを誤検知”したと見なせる。
【０２０８】
上記判定結果に基づき、
・ “フレームシフト” が発生した場合には再度同期合わせを行い（ＳＴ６）、
・ “同期コードを誤検知”した場合には事前予測値に合わせて誤検知した同期コードを自動修正する処理（ＳＴ７）を行う。
【０２０９】
また、平行してデータＩＤの連続性チェック（ＳＴ８）とWobble Addressの連続性チェック（ＳＴ９）を行い、トラック外れ検出とトラック外れが生じた時の対応（ＳＴ１０）を行う。
【０２１０】
０〕この発明の一実施の形態のポイント一覧
この発明の一実施の形態の説明に先立ち、前述したこの発明の目的を達成するための、多義に渡るこの発明の一実施の形態のポイントを、下記に纏める。
【０２１１】
下記では大きな発明ポイント内容をアルファベット番号で分類し、各大きな発明ポイントを実行するための工夫（中間レベルのこの発明の一実施の形態ポイント）内容を“○印”でまとめ、更にその内容を実現する時に必要な細かい発明内容を“☆印”で記載するようにして発明のポイント内容を階層構造的にまとめて記載してある。
【０２１２】
今後の実施例説明文中で下記の各発明ポイントに対応した箇所には括弧書きで対応するアルファベット番号を記載する。
【０２１３】
0ー1）この発明の一実施の形態ポイント列挙
ポイントＡ）図１と図２に示すように、ファイル分離またはディレクトリ（フォルダ）分離により従来のＳＤ（Standard Definition）用のObject File及び管理ファイルと高画質映像に対応したＨＤ（High Definition）用のObject File及び管理ファイルに対して情報記憶媒体上での分離管理を可能とする；
ポイントＢ）副映像情報の４ビット表現と圧縮規則（図４）；
ポイントＣ）再生専用情報記憶媒体において複数種類の記録形式を設定可能とする（図２０）；
◇ 何度でも自由に複製が可能な（それ程重要で無い）コンテンツ内容の場合；
…  従来と同様、各セグメント毎に繋げて（詰めて）連続にデータを記録する構造；
◇ コピー制限の対象となる重要なコンテンツ内容の場合；
…  情報記憶媒体上で各セグメント毎に分離配置し、その隙間（前後のセグメントの間）に“再生専用情報記憶媒体の識別情報”“コピー制御情報”“暗号鍵関連情報”“アドレス情報”等を記録可能な構造とする。これにより、情報記憶媒体内のコンテンツ保護とアクセスの高速性を保証出来る；
○ 同一ディスク内ではフォーマットは共通とする（ディスクの途中からフォーマット変更不可）；
○ 記録するコンテンツ内容に応じて同一ディスク内で２フォーマット混在を許す；
○ ２種類とも共通のフォーマット領域を一部持つ（起動時にそこに読みに行く）；
○ ＤＶＤ−ＲＯＭのフォーマット識別フラグ情報（２案を一部含むか）をディスクに記録する；
☆フォーマット識別フラグ情報を共通のフォーマット領域内に記録する；
☆フォーマット識別フラグ情報は記録可能領域に記録する；
ポイントＤ）積符号を用いたＥＣＣ ブロック構造（図１１、図１２）；
図１１と図１２に示すようにこの発明の一実施の形態では情報記憶媒体に記録するデータを２次元状に配置し、エラー訂正用付加ビットとして行方向に対してはＰＩ（Parity in）、列方向に対してはＰＯ（Parity out）を付加した構造になっている；
○ ３２セクターで一つのエラー訂正単位（ＥＣＣブロック）を構成；
図１２に示すようにこの発明の一実施の形態では“０セクター”から“３１セクター”までの３２セクターを縦に順次並べてＥＣＣブロックを構成する構造になっている；
ポイントＥ）同一セクター内を複数に分割し、分割された各部分毎に異なる積符号（小ＥＣＣブロック）を構成する；
図１２に示すようにセクター内データを１７２バイト毎に左右に交互配置し、左右で別々にグルーピングされる（左右のグループに属するデータはそれぞれ“入れ子”状にインターリーブされた形になっている）。この分割された左右のグループは図１２に示すように３２セクター分ずつ集められて左右で小さなＥＣＣブロックを構成する。図１２内での例えば“２−Ｒ”などの意味はセクター番号と左右グループ識別記号（例えば２番目の Right 側のデータ）を表している。（図１２中のＬはLeft を表す。）
○ 同一セクター内をインターリーブ（等間隔で交互に別のグループに含ませる）し、各グループ毎に異なる小さいＥＣＣブロックに属させる；
ポイントＦ）ＥＣＣブロックを構成するセクターにより複数種類の Sync frame 構造を規定する；
１個のＥＣＣブロックを構成するセクターのセクター番号が偶数番号か奇数番号かで図１４に示すように Sync frame 構造を変化させる所に特徴がある。つまりセクター毎に交互に異なるＰＯグループのデータが挿入される構造（図１３）になっている；
○ ＰＯのインターリーブ・挿入位置が左右で異なる構造を有する（図１３）；
ポイントＧ）ＥＣＣブロック内セグメント分割構造（図３０）；
ポイントＨ）ＥＣＣブロック間のガード領域配置構造（図２３）；
○ 再生専用／追記形／書き換え形 間でデータ内容を変える（ → 識別に利用するため）；
○ ＤＶＤ−ＲＯＭ ヘッダ にランダム信号を利用する；
ポイントＩ）記録可能な情報記憶媒体に対する記録フォーマットでガードエリアが一部重複して記録される；
図２９に示すように前側ガード領域５２１と後側ガード領域５２７が重複し、書き換え時の重複箇所５４１、５４２が生じる；
ポイントＪ）配置を工夫し、連続３個ずつの同期コードの組み合わせが１個ずれた時のコード変化数を２以上にする（図１６〜図１８）；
○ ガード領域を含まないセクター構造が繰り返す配置でもコード変化数が２以上になるように工夫；
○ ガード領域を挟んでセクター構造が配置される場合でもコード変化数が２以上になるように工夫；
ポイントＫ）アドレス情報（特にセグメントアドレス情報）に対してアドレス番号付与方法に条件を加える；
○ アドレス番号を全てのビットが同じ値になる“０”からでは無く、“１”から始める；
○ “１”または“０”が３回以上続けて現れるアドレス番号を欠番にする；
ポイントＬ）Ｌ／Ｇ 記録 ＋ ウォーブル変調によりアドレス情報を記録（図２６）；
ポイントＭ）グルーブ領域にも不定ビットを分散配置する；
ポイントＮ）Ｌ／Ｇ 記録 ＋ ウォーブル変調で不定ビットをLandとGrooveの両方に分配配置する；
ポイントＯ）Ｌ／Ｇ 記録において１８０度（±９０度）のウォーブル位相変調を採用する（図２５）；
ポイントＰ）トラックアドレスに対してグレイコードまたは特殊トラックコードを採用する（図２７、図２８）。
【０２１４】
＜発明の実施の形態に応じた効果Ａ＞
＜高画質映像に合わせた大容量を保証すると共に高画質映像へのアクセス信頼性を高めた＞
（１）従来のＳＤ映像に対してファイル又はフォルダ分離によりＨＤ映像を情報記憶媒体に記録する場合、ＨＤ映像は解像度が高いため情報記憶媒体の記録容量増加が必須となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。またこの場合トラックピッチが密になるため、より一層のアドレス検出性能を向上させてアクセスの信頼性を高める必要がある。“Ｌ／Ｇ記録＋ウォーブル変調”で問題となる不定ビットの発生に対してグレイコードまたは特殊トラックコードを採用して不定ビットの発生頻度を下げると共に、ビット単位の加算、減算、Exclusive OR 演算などを行い、グレイコード特性または特殊トラックコード特性を保持したままのエラー検出コード付加とスクランブル処理を行い、アドレスの検出精度を大幅に増加させることが可能となる。
【０２１５】
（２）情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。またこの場合トラックピッチが密になるため、より一層のアドレス検出性能を向上させてアクセスの信頼性を高める必要がある。“Ｌ／Ｇ記録＋ウォーブル変調”で問題となる不定ビットの発生に対してグレイコードまたは特殊トラックコードを採用して不定ビットの発生頻度を下げると共に、ビット単位の加算、減算、Exclusive OR 演算などを行い、グレイコード特性または特殊トラックコード特性を保持したままのエラー検出コード付加とスクランブル処理を行い、アドレスの検出精度を大幅に増加させることが可能となる。
【０２１６】
＜効率の良いゾーン分割を可能として記録効率を高め、高画質映像に合わせた大容量を保証した＞＞
（３）従来のＳＤ映像に対してファイル又はフォルダ分離によりＨＤ映像を情報記憶媒体に記録する場合、ＨＤ映像は解像度が高いため情報記憶媒体の記録容量増加が必須となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。Ｌ／Ｇ記録の場合には図２４のゾーン構造を取るが、１周をＥＣＣブロックの整数倍になるようにゾーン配置をすると記録効率が非常に悪くなる。それに対して、この発明の実施の形態のように１個のＥＣＣブロックを複数（この発明の実施の形態では８個）のセグメントに分割し、情報記憶媒体上の１周をセグメントの整数倍になるようにゾーンを配置するように設定すると記録効率が非常に高くなる。
【０２１７】
（４）情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。Ｌ／Ｇ記録の場合には図２４のゾーン構造を取るが、１周をＥＣＣブロックの整数倍になるようにゾーン配置をすると記録効率が非常に悪くなる。それに対して、この発明の実施の形態のように１個のＥＣＣブロックを複数（この発明の実施の形態では８個）のセグメントに分割し、情報記憶媒体上の１周をセグメントの整数倍になるようにゾーンを配置するように設定すると記録効率が非常に高くなる。
【０２１８】
＜高画質映像の保護と媒体種別の識別とアクセス速度の確保＞
（５）従来のＳＤ映像に対してファイル又はフォルダ分離によりＨＤ映像を情報記憶媒体に記録する場合、ＨＤ映像は解像度が高く、不正コピーの保護を強化したいという要求が高い。この発明の実施の形態のようにＥＣＣブロック内を複数のセグメントに分割し、再生専用情報記憶倍体内で２種類の記録フォーマットを持ち、不正コピーの保護をしたい高画質映像に対してセグメント間にヘッダーを持たせる事で、再生専用／追記形／書き換え形間でのフォーマット互換性を確保できるだけでなく、媒体種別の識別が容易となる。更に追記形／書き換え形ではその識別情報の一部としてセグメント内に複数回のアドレス情報が記録されているので、同時にアクセス速度の向上という副次効果を発揮する。
【０２１９】
（６）情報記憶媒体に記録する映像の高画質化に合わせて副映像の高画質化も必要となる。従来の２ビットから４ビット表現にした高画質の副映像に対して不正コピーの保護を強化したいという要求が高い。この発明の実施の形態のように、ＥＣＣブロック内を複数のセグメントに分割し、再生専用情報記憶倍体内で２種類の記録フォーマットを持ち、不正コピーの保護をしたい高画質の副映像に対してセグメント間にヘッダーを持たせる事で再生専用／追記形／書き換え形間でのフォーマット互換性を確保できるだけでなく、媒体種別の識別が容易となる。更に追記形／書き換え形ではその識別情報の一部としてセグメント内に複数回のアドレス情報が記録されているので、同時にアクセス速度の向上という副次効果を発揮する。
【０２２０】
＜高画質映像に合わせて記録密度を上げても表面の傷が現行と同じ長さまで付くのを保証した＞
（７）従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データへの影響範囲が相対的に大きくなる。従来のＤＶＤでは１６セクターで１ＥＣＣブロックを構成していたのに対して、この発明の実施の形態ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小さいＥＣＣブロックで構成させると共に１セクター内を２個のＥＣＣブロックに分散配置することで同一セクター内のデータを実質的にインターリーブした事になり、より一層長い傷やバーストエラーに対する影響を軽減できる。
【０２２１】
（８）情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。。記録密度が高くなると、情報記憶媒体表面に付いた同じ長さの傷が及ぼす記録データへの影響範囲が相対的に大きくなる。従来のＤＶＤでは１６セクターで１ＥＣＣブロックを構成していたのに対して、この発明の実施の形態ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小さいＥＣＣブロックで構成させると共に１セクター内を２個のＥＣＣブロックに分散配置することで同一セクター内のデータを実質的にインターリーブした事になり、より一層長い傷やバーストエラーに対する影響を軽減できる。
【０２２２】
（９）従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データへの影響範囲が相対的に大きくなる。従来のＤＶＤでは１６セクターで１ＥＣＣブロックを構成していたのに対して、この発明の実施の形態ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小ＥＣＣブロックで構成させると共に、この発明の実施の形態ではセクター毎に異なる小ＥＣＣブロックに属するＰＯデータを挿入するため、小ＥＣＣブロック内のＰＯデータが１個置きのセクター内にインターリーブ配置（分散配置）されるのでＰＯデータの傷による信頼性が上がり、精度の良いエラー訂正処理が可能となる。
【０２２３】
（１０）情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。記録密度が高くなると、情報記憶媒体表面に付いた同じ長さの傷が及ぼす記録データへの影響範囲が相対的に大きくなる。従来のＤＶＤでは１６セクターで１ＥＣＣブロックを構成していたのに対して、この発明の実施の形態ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小ＥＣＣブロックで構成させると共に、この発明の実施の形態ではセクター毎に異なる小ＥＣＣブロックに属するＰＯデータを挿入するため、小ＥＣＣブロック内のＰＯデータが１個置きのセクター内にインターリーブ配置（分散配置）されるのでＰＯデータの傷による信頼性が上がり、精度の良いエラー訂正処理が可能となる。
【０２２４】
＜再生専用と追記形との完全互換が取れると共に細かい単位での追記処理が可能＞
（１１）従来の ＤＶＤ−Ｒ もしくは ＤＶＤ−ＲＷ では細かい単位での追記／書き換えが不可能で、無理にそれを行おうとして Restricted Overwrite 処理を行うと既に記録されている情報の一部が破壊されるという問題が有った。この発明の実施の形態のように、再生専用で複数種類の記録形式を設定可能とし、ＥＣＣブロック内で分割されたセグメントの間にヘッダを持つ記録構造を再生専用で持てるようにした事で、再生専用と追記形との完全互換が可能となる。更にこのヘッダ部の途中から追記／書き換えを行えるので追記／書き換え処理による既に記録されたセグメント内の情報を破壊する危険性も無い。同時にこのヘッダ部の中で追記／書き換え時にガードエリアが一部重複して記録されるため、ヘッダ部内に記録マークが存在しないギャップ領域の存在を防止するため、このギャップ領域による２層間のクロストークの影響が除去でき、片面２記録層における層間クロストークの問題も同時に解消できる。
【０２２５】
＜確定アドレス情報配置頻度を高め、アクセス速度を確保する＞
（１２）この発明の実施の形態ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。そのため、この発明の実施の形態ではグルーブ領域にも不定ビットを配置し、ランド領域とグルーブ領域の両方に不定ビットを分散配置する事でランド領域内にも不定ビットを持たず、エラー検出コードが付加された部分の形成を可能としている。しかしランド領域とグルーブ領域の両方に不定ビットを分散配置するので、不定ビットを持たないトラック番号情報６１１、６１２の配置頻度が相対的に低下する。これに対して、この発明の実施の形態ではセグメント内で複数回のアドレス情報を配置する構造にする事でランド領域とグルーブ領域共に不定ビットを持たずエラー検出コードが付加された部分の配置頻度を高め、それによりアドレス情報再生精度を上げると共に高いアクセス速度を確保している。
【０２２６】
＜ウォーブルアドレスの読み取り精度を高める＞
（１３）図２５に示すように１アドレスビット領域５１１の境界位置（“三角印”の部分）でのウォーブルの反転頻度を高めるとウォーブルアドレスの読み取り精度が向上する。そのためセグメントアドレス情報の取り得る値として“００００００”を排除してウォーブルの反転頻度を上げると共にデータスクランブルを掛けて１アドレスビット領域５１１の境界位置（“三角印”の部分）でのウォーブルの反転頻度を高めている。この時、スクランブルの種情報内で長く“０”が連続するとデータスクランブルを掛けた時にウォーブルの反転頻度が高まる効果が現れ辛い。従ってセグメントアドレス情報の取り得る値として“００００００”を排除して種情報内の“１”の出現頻度を高める事でデータスクランブルを掛けた時のウォーブル反転頻度を高める効果を促進する働きをする。
【０２２７】
＜ランドでも確実にトラック番号を再生できる事でランド上でのトラック番号再生精度が上がる＞
（１４）この発明の実施の形態ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。そのため、この発明の実施の形態ではグルーブ領域にも不定ビットを配置し、ランド領域とグルーブ領域の両方に不定ビットを分散配置する事で、ランド領域内にも不定ビットを持たず、エラー検出コードが付加された部分の形成を可能としている。その結果、ランド上でも高い再生精度でのトラック番号の読み取りが可能となり、ランド部でのアクセス安定性と高いアクセス速度を確保できる。
【０２２８】
＜非常に容易な方法でグルーブ領域とランド領域に不定ビットを分散配置できる＞
（１５）この発明の実施の形態では±９０度のウォーブル位相変調を採用する事で、グルーブ領域形成用の集光スポット３の露光量変調もしくは２集光スポット間の相対位置変化と言う非常に簡単な方法でグルーブ領域とランド領域に不定ビットを分散配置できる。そのため、従来の情報記憶媒体作成用の原盤記録装置でもって、この発明を実施できる。既存の装置で実施できるため、新たな設備導入を必要とせず、安価な情報記憶媒体を製造する事が可能となる。
【０２２９】
＜ウォーブルアドレス情報の再生精度（信頼性）を大幅に高められる＞
（１６）この発明の実施の形態では任意のデータとの間でビット単位での“加算演算”、“減算演算”または“Exclusive OR”演算のいずれかあるいはそれらの組み合わせ演算の範囲内でＥＤＣコード生成とデータスクランブル処理の両方が行えるので、非常に簡単な方法でウォーブルアドレス情報の再生精度（信頼性）を大幅に高められる（ＥＤＣによるエラー検知とスクランブルによるウォーブル反転位置の出現頻度を高められ、再生系で容易にＰＬＬが掛けられる）と共に、それを実施するために必要な付加回路がほんのわずかなため、安価な情報再生装置または情報記録再生装置を提供できる。
【０２３０】
＜ＥＣＣブロック内で不定ビットが縦一直線に並ぶのを防止し、エラー訂正能力を確保する＞
（１７）ウォーブルアドレスの配置領域とトラック番号情報のデータ配置では非常に記録正しく情報が並んでいるので、不定ビットの位置が図１３に示すＥＣＣブロック内で縦に一直線に並んでしまい、ＥＣＣブロック内でのエラー訂正能力が大幅に低下すると言う問題が発生する。この発明の実施の形態では各種の方法で不定ビットの配置をずらし、ＥＣＣブロック内で不定ビットが縦に並ぶのを防止し、ＥＣＣブロック内でのエラー訂正能力に対する性能確保を行える。その結果、情報記憶媒体に記録した記録マークからの再生情報の（訂正後の）エラー率を低減し、精度の高い再生を可能にする。
【０２３１】
＜非常に簡単かつ安価にウォーブルアドレス情報の再生信頼性を上げられる＞
（１８）簡単な回路でデータスクランブルを掛けられ、アドレスビット領域の境界部でのウォーブル反転頻度を高めてアドレスビット領域の境界位置の検出を容易にし、ウォーブルアドレス情報の再生信頼性を上げられる。そればかりでなく、用いるデータスクランブル回路は非常に安価に作成できるため、安価な情報再生装置または安価な情報記録再生装置を提供できる。
【０２３２】
（１９）２アドレス領域内でパターン内容を変化させる事で結果的にアドレスビット領域の境界部でのウォーブル反転頻度を高めてアドレスビット領域の境界位置の検出を容易にし、ウォーブルアドレス情報の再生信頼性を上げられる。
【０２３３】
＜検出精度を高くトラック番号の偶数／奇数識別情報を配置できると共に記録マークへ影響を与えない＞
（２０）トラック番号の偶数／奇数識別情報をウォーブル変調のデータ構造では無く、物理的な形状変化で記録するため、トラック番号の偶数／奇数識別情報に対する高い検出精度が確保できる。また、このトラック番号の偶数／奇数識別情報は各セグメント間のヘッダ領域に配置するため、各セグメント内に記録する記録マークによる記録情報に対する悪影響が無い。また、同時にこの情報を再生専用／追記形／書き換え形の情報記憶媒体の種類判別にも利用でき、不正コピーを防止したい高画質の映像情報や高画質の副映像情報に対する不正コピーの検知が容易となる。
【０２３４】
＜精度の高い不定ビットの予測判定が可能＞
（２１）トラック番号の偶数／奇数識別情報をウォーブル変調のデータ構造では無く、物理的な形状変化で記録するため、トラック番号の偶数／奇数識別情報に対する高い検出精度が確保できる。そのため、この高い検出精度が確保できるトラック番号の偶数／奇数識別情報を基準として不定ビットの予測判定が行えるので、比較的高い精度での予測判定が行える。
【０２３５】
＜グルーブ領域に不定ビットを持たずにランド領域上で正確にアドレス番号が確定する＞
（２２）この発明の実施の形態ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。この発明の実施の形態では、Ｌ／Ｇ記録方法において、トラック番号情報をジグザグに累進設定する。こうする事で、グルーブ領域に不定ビットを持たずにランド領域上で不定ビットを持たず、エラー検出コードが付加され、正確にアドレス番号が確定する箇所の設定が可能となる。このことから、ランド領域でも精度の高いトラック番号の確定が可能であるばかりでなく、（早くアドレス番号が確定するので）比較的早いアクセス速度の確保が可能となる。
【０２３６】
＜ランド／グルーブ共容易かつ高速でアドレス番号の確定が行える＞
（２３）ランドとグルーブ共に予めアドレス確定/予測判定領域の場所が決定されているので、アドレス確定領域とアドレス予測領域を即座に判別し、それぞれにあったアドレス番号情報の確定と予測が行えるので、アドレス情報再生処理方法が容易になるばかりでなく、高速でアドレス番号の確定が行えるので、相対的に高速なアクセス処理が可能となる。
【０２３７】
＜セグメント内の記録マーク再生信頼性＞
（２４）この発明ではＥＣＣブロック内を複数のセグメントに分割し、各セグメント間にヘッダを配置し、このヘッダ領域内にトラックアドレス情報を配置している。その結果Ｌ／Ｇ記録でウォーブル変調によるアドレス情報を記録した場合でも、セグメント領域内への不定ビットの混入が防止でき、セグメント領域内の記録マークからは質の高い再生信号が得られ、記録マークからの高い再生信頼性が確保可能となる。
【０２３８】
以上を総括すると、“高精細”な主映像、高画質な副映像の表示、大容量化、フォーマットの高い互換性確保、ＰＣデータの追記または書き換え、アドレス情報の再生に対する高信頼化、ウォーブル信号からの基準クロック抽出精度の向上、高速アクセスの保証、片面２記録層構造への拡張性の保証、を得る情報記録媒体の提供と前記情報記録媒体に対して安定にデータの再生が可能な情報再生装置もしくは安定にデータの記録が可能な情報記録再生装置を提供することができる。
【０２３９】
＜発明の実施の形態に応じた効果Ｂ＞
次に、表１を参照して、この発明の種々な実施の形態および／またはその構成の組み合わせにより得られる効果を説明する。なお、表１において○印部分は主要な独自効果を示し、Δは付加的（副次的）な効果を示している。また、表１中の< 1>〜<15>は下記の項目番号< 1>〜<15>に対応している。
【０２４０】
《高画質映像に合わせた大容量を保証すると共に高画質映像へのアクセス信頼性を高めた》
< 1>従来のＳＤ（Standard Definition）映像に対してファイル又はフォルダ分離によりＨＤ（High Definition）映像を情報記憶媒体に記録する場合、ＨＤ映像は解像度が高いため情報記憶媒体の記録容量増加が必須となる。グルーブ記録よりもＬ／Ｇ記録の方が記録容量の増加が可能である。また、プリピットアドレス上には記録マークを形成できないのでプリピットアドレスよりウォーブル変調によるアドレス情報記録の方が記録効率が高い。そのため、“Ｌ／Ｇ記録＋ウォーブル変調”が最も記録容量増加に有効である。この場合、トラックピッチが密になるため、より一層のアドレス検出性能を向上させてアクセスの信頼性を高める必要がある。
【０２４１】
“Ｌ／Ｇ記録＋ウォーブル変調”で問題となる不定ビットの発生に対しては、グレイコードまたは特殊トラックコードを採用して不定ビットの発生頻度を下げてアドレスの検出精度を大幅に増加させることが可能となる。また同期コードの組み合わせを工夫して同期コードに対する誤検知に対して自動修正可能にしたため、同期コードを用いたセクタ内の位置検出精度が飛躍的に向上した結果、アクセス制御の信頼性と高速性を高める事が出来る。
【０２４２】
< 2>情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。グルーブ記録よりもＬ／Ｇ記録の方が記録容量の増加が可能である。また、プリピットアドレス上には記録マークを形成できないのでプリピットアドレスよりウォーブル変調によるアドレス情報記録の方が記録効率が高い。そのため、“Ｌ／Ｇ記録＋ウォーブル変調”が最も記録容量増加に有効である。この場合も、トラックピッチが密になるため、より一層のアドレス検出性能を向上させてアクセスの信頼性を高める必要がある。
【０２４３】
“Ｌ／Ｇ記録＋ウォーブル変調”で問題となる不定ビットの発生に対しては、グレイコードまたは特殊トラックコードを採用して不定ビットの発生頻度をアドレスの検出精度を大幅に増加させることが可能となる。また、同期コードを用いたセクタ内の位置検出精度が飛躍的に向上した結果、アクセス制御の信頼性と高速性を高める事が出来る。
【０２４４】
《効率の良いゾーン分割を可能として記録効率を高め、高画質映像に合わせた大容量を保証した》
< 3>従来のＳＤ映像に対してファイル又はフォルダ分離によりＨＤ映像を情報記憶媒体に記録する場合、ＨＤ映像は解像度が高いため情報記憶媒体の記録容量増加が必須となる。グルーブ記録よりもＬ／Ｇ記録の方が記録容量の増加が可能である。また、プリピットアドレス上には記録マークを形成できないのでプリピットアドレスよりウォーブル変調によるアドレス情報記録の方が記録効率が高い。そのため、“Ｌ／Ｇ記録＋ウォーブル変調”が最も記録容量増加に有効である。ここで、Ｌ／Ｇ記録の場合には図２４のゾーン構造を採るが、１周をＥＣＣブロックの整数倍になるようにゾーン配置をすると記録効率が非常に悪くなる。それに対して、この発明の実施の形態のように１個のＥＣＣブロックを複数（この発明の実施の形態では７個）のセグメントに分割し、情報記憶媒体上の１周をセグメントの整数倍になるようにゾーンを配置するように設定すると、記録効率が非常に高くなる。
【０２４５】
< 4>情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。グルーブ記録よりもＬ／Ｇ記録の方が記録容量の増加が可能である。また、プリピットアドレス上には記録マークを形成できないのでプリピットアドレスよりウォーブル変調によるアドレス情報記録の方が記録効率が高い。そのため、“Ｌ／Ｇ記録＋ウォーブル変調”が最も記録容量増加に有効である。ここで、Ｌ／Ｇ記録の場合には図２４のゾーン構造を採るが、１周をＥＣＣブロックの整数倍になるようにゾーン配置をすると記録効率が非常に悪くなる。それに対して、この発明の実施の形態のように１個のＥＣＣブロックを複数（この発明の実施の形態では７個）のセグメントに分割し、情報記憶媒体上の１周をセグメントの整数倍になるようにゾーンを配置するように設定すると、記録効率が非常に高くなる。
【０２４６】
《高画質映像の保護と媒体種別の識別》
< 5>従来のＳＤ映像に対してファイル又はフォルダ分離によりＨＤ映像を情報記憶媒体に記録する場合、ＨＤ映像は解像度が高く、不正コピーの保護を強化したいという要求が高い。この発明の実施の形態のように、ＥＣＣブロック内を複数のセグメントに分割し、再生専用情報記憶媒体内で２種類の記録フォーマットを持ち、不正コピーの保護をしたい高画質映像に対してＥＣＣブロック間にガード領域を持たせる。こうする事で、再生専用／追記形／書き換え形間でのフォーマット互換性を確保できるだけでなく、媒体種別の識別が容易となる。
【０２４７】
< 6>情報記憶媒体に記録する映像の高画質化に合わせて副映像の高画質化も必要となる。従来の２ビットから４ビット表現にした高画質の副映像に対して不正コピーの保護を強化したいという要求が高い。この発明の実施の形態のようにＥＣＣブロック内を複数のセグメントに分割し、再生専用情報記憶媒体内で２種類の記録フォーマットを持ち、不正コピーの保護をしたい高画質の副映像に対してＥＣＣブロック間にガード領域を持たせる。こうする事で、再生専用／追記形／書き換え形間でのフォーマット互換性を確保できるだけでなく、媒体種別の識別が容易となる。
【０２４８】
《高画質映像に合わせて記録密度を上げても表面の傷が現行と同じ長さまで付くのを保証した》
< 7>従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データへの影響範囲が相対的に大きくなる。従来のＤＶＤでは１６セクタで１ＥＣＣブロックを構成していたのに対して、この発明の実施の形態ではその２倍の３２セクタで１ＥＣＣブロックを構成する。こうする事で、高画質映像に合わせて記録密度を上げても表面の傷が現行と同じ長さまで付くのを保証した。更に１ＥＣＣブロック内を２個の小さいＥＣＣブロックで構成させると共に１セクタ内を２個のＥＣＣブロックに分散配置することで、同一セクタ内のデータを実質的にインターリーブした事になり、より一層長い傷やバーストエラーに対する影響を軽減できる。
【０２４９】
また、従来のＤＶＤ規格では情報記憶媒体表面に付いた傷により同期コードに対して誤検知が生じた場合、フレームシフトが発生してＥＣＣブロック内のエラー訂正能力を著しく低下させていた。それに比べて、この発明の実施の形態では、情報記憶媒体表面に付いた傷により同期コードに対して誤検知が生じた場合にフレームシフトとの区別が付くために、フレームシフトを防止させるだけで無く、図３７のＳＴ７に示すように同期コードの誤検知を自動修正出来る。このため、同期コードの検出精度と検出安定性が飛躍的に向上する。その結果、ＥＣＣブロックのエラー訂正能力の劣化を防止し、精度と信頼性の高いエラー訂正が可能となる。
【０２５０】
< 8>情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。記録密度が高くなると、情報記憶媒体表面に付いた同じ長さの傷が及ぼす記録データへの影響範囲が相対的に大きくなる。従来のＤＶＤでは１６セクタで１ＥＣＣブロックを構成していたのに対して、この発明の実施の形態ではその２倍の３２セクタで１ＥＣＣブロックを構成する。こうする事で、高画質映像に合わせて記録密度を上げても表面の傷が現行と同じ長さまで付くのを保証した。更に１ＥＣＣブロック内を２個の小さいＥＣＣブロックで構成させると共に１セクタ内を２個のＥＣＣブロックに分散配置することで、同一セクタ内のデータを実質的にインターリーブした事になり、より一層長い傷やバーストエラーに対する影響を軽減できる。
【０２５１】
また、従来のＤＶＤ規格では情報記憶媒体表面に付いた傷により同期コードに対して誤検知が生じた場合、フレームシフトが発生してＥＣＣブロック内のエラー訂正能力を著しく低下させていた。それに比べて、この発明の実施の形態では、情報記憶媒体表面に付いた傷により同期コードに対して誤検知が生じた場合にフレームシフトとの区別が付くために、フレームシフトを防止させるだけで無く、図３７のＳＴ７に示すように同期コードの誤検知を自動修正出来る。このため同期コードの検出精度と検出安定性が飛躍的に向上する。その結果、ＥＣＣブロックのエラー訂正能力の劣化を防止し、精度と信頼性の高いエラー訂正が可能となる。
【０２５２】
< 9>従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データへの影響範囲が相対的に大きくなる。従来のＤＶＤでは１６セクタで１ＥＣＣブロックを構成していたのに対して、この発明の実施の形態ではその２倍の３２セクタで１ＥＣＣブロックを構成する。こうする事で、高画質映像に合わせて記録密度を上げても表面の傷が現行と同じ長さまで付くのを保証した。更に１ＥＣＣブロック内を２個の小ＥＣＣブロックで構成させると共に、この発明の実施の形態では、セクタ毎に異なる小ＥＣＣブロックに属するＰＯデータを挿入する。このため、小ＥＣＣブロック内のＰＯデータが１個置きのセクタ内にインターリーブ配置（分散配置）されるので、ＰＯデータの傷による信頼性が上がり、精度の良いエラー訂正処理が可能となる。
【０２５３】
また、従来のＤＶＤ規格では情報記憶媒体表面に付いた傷により同期コードに対して誤検知が生じた場合、フレームシフトが発生してＥＣＣブロック内のエラー訂正能力を著しく低下させていた。それに比べて、この発明の実施の形態では、情報記憶媒体表面に付いた傷により同期コードに対して誤検知が生じた場合にフレームシフトとの区別が付くために、フレームシフトを防止させるだけで無く、図３７のＳＴ７に示すように同期コードの誤検知を自動修正出来る。このため同期コードの検出精度と検出安定性が飛躍的に向上する。その結果、ＥＣＣブロックのエラー訂正能力の劣化を防止し、精度と信頼性の高いエラー訂正が可能となる。
【０２５４】
<10>情報記憶媒体に記録する映像の高画質化に合わせて副映像の高画質化も必要となるが、副映像を従来の２ビットから４ビット表現にすると記録すべきデータ量が増大するため、それを記録する情報記憶媒体の大容量化が必要となる。記録密度が高くなると、情報記憶媒体表面に付いた同じ長さの傷が及ぼす記録データへの影響範囲が相対的に大きくなる。従来のＤＶＤでは１６セクタで１ＥＣＣブロックを構成していたのに対して、この発明の実施の形態ではその２倍の３２セクタで１ＥＣＣブロックを構成する。こうする事で、高画質映像に合わせて記録密度を上げても表面の傷が現行と同じ長さまで付くのを保証した。更に１ＥＣＣブロック内を２個の小ＥＣＣブロックで構成させると共に、この発明の実施の形態ではセクタ毎に異なる小ＥＣＣブロックに属するＰＯデータを挿入する。このため、小ＥＣＣブロック内のＰＯデータが１個置きのセクタ内にインターリーブ配置（分散配置）されるので、ＰＯデータの傷による信頼性が上がり、精度の良いエラー訂正処理が可能となる。
【０２５５】
また、従来のＤＶＤ規格では情報記憶媒体表面に付いた傷により同期コードに対して誤検知が生じた場合、フレームシフトが発生してＥＣＣブロック内のエラー訂正能力を著しく低下させていた。それに比べてこの発明の実施の形態では、情報記憶媒体表面に付いた傷により同期コードに対して誤検知が生じた場合にフレームシフトとの区別が付くために、フレームシフトを防止させるだけで無く、図３７のＳＴ７に示すように同期コードの誤検知を自動修正出来る。このため同期コードの検出精度と検出安定性が飛躍的に向上する。その結果、ＥＣＣブロックのエラー訂正能力の劣化を防止し、精度と信頼性の高いエラー訂正が可能となる。
【０２５６】
《再生専用と追記形との完全互換が取れると共に細かい単位での追記処理が可能》
<11>従来のＤＶＤ−ＲもしくはＤＶＤ−ＲＷでは細かい単位での追記／書き換えが不可能で、無理にそれを行おうとしてRestricted Overwrite処理を行うと既に記録されている情報の一部が破壊されるという問題が有った。この発明の実施の形態のように、再生専用で複数種類の記録形式を設定可能とし、ＥＣＣ間にガード領域を持つ記録構造を再生専用で持てるようにした事で、再生専用と追記形との完全互換が可能となる。更にこのガード領域の途中から追記／書き換えを行えるので追記／書き換え処理による既に記録されたＥＣＣブロック内の情報を破壊する危険性も無い。同時にこのガード領域の中で追記／書き換え時にガード領域が一部重複して記録されるため、ガード領域内に記録マークが存在しないギャップ領域の存在を防止するため、このギャップ領域による２層間のクロストークの影響が除去でき、片面２記録層における層間クロストークの問題も同時に解消できる。
【０２５７】
《アドレス情報の確定精度を高め、アクセス速度を確保する》
<12>不定ビットを持たず、エラー検出コードが付加された部分では非常に高い精度でトラック情報を検出できる。そのため、この発明の実施の形態では、グルーブ領域にも不定ビットを配置し、ランド領域とグルーブ領域の両方に不定ビットを分散配置する。こうする事で、ランド領域内にも不定ビットを持たず、エラー検出コードが付加された部分の形成を可能としている。その結果、アドレス情報の確定精度を高め、一定のアクセス速度を確保できる。
【０２５８】
《ウォーブルアドレスの読み取り精度を高める》
<13>図２５に示すように１アドレスビット領域５１１の境界位置（“黒の三角印”の部分）でのウォーブルの反転頻度を高めるとウォーブルアドレスの読み取り精度が向上する。そのためセグメントアドレス情報の取り得る値として“００００００”を排除してウォーブルの反転頻度を上げて１アドレスビット領域５１１の境界位置（“黒の三角印”の部分）でのウォーブルの反転頻度を高めている。この結果、１アドレスビット領域５１１の境界位置検出精度が上がり、ウォーブルアドレスの読み取り精度が向上する。
【０２５９】
《ランドでも確実にトラック番号を再生できる事でランド上でのトラック番号再生精度が上がる。》
<14>不定ビットを持たず、エラー検出コードが付加された部分では非常に高い精度でトラック情報を検出できる。そのため、この発明の実施の形態では、グルーブ領域にも不定ビットを配置し、ランド領域とグルーブ領域の両方に不定ビットを分散配置する。こうする事で、ランド領域内にも不定ビットを持たず、エラー検出コードが付加された部分の形成を可能としている。その結果、ランド上でも高い再生精度でのトラック番号の読み取りが可能となり、ランド部でのアクセス安定性と高いアクセス速度を確保できる。
【０２６０】
《ＥＣＣブロック内で不定ビットが縦一直線に並ぶのを防止し、エラー訂正能力を確保する》
<15>この発明の実施の形態では、ＥＣＣブロック内を構成するセクタ数３２とセグメント数７とが互いに割り切れない関係（非定倍の関係）にあるため、図１３に示すＥＣＣブロック内で各セグメントの先頭位置はそれぞれずれた位置に配置される。図３０に示したウォーブルアドレスフォーマットではグルーブトラック情報６０６とランドトラック情報６０７の所に図２６に示した不定ビット５０４が混入する可能性がある。この不定ビット領域５０４ではグルーブ幅あるいはランド幅が変化するため、ここからの再生信号のレベルが変動し、エラー発生の原因となる。この発明の実施の形態のように、ＥＣＣブロックを構成するセクタ数とセグメント数を互いに非定倍の関係にする事で、上記の各セグメントの先頭位置と同様に図１３に示すＥＣＣブロック内で不定ビットが縦に一直線に並ぶ事を防止する効果がある。このように不定ビットの配置をずらし、ＥＣＣブロック内で不定ビットが縦に並ぶのを防止し、ＥＣＣブロック内でのエラー訂正能力に対する性能確保が可能となる。その結果、情報記憶媒体に記録した記録マークからの再生情報の（訂正後の）エラー率を低減し、精度の高い再生を可能にする。
【０２６１】
さらにこの発明の実施の形態では、情報記憶媒体の欠陥などにより同期コードに対して誤検知が生じた場合に、フレームシフトとの区別が付く。このため、フレームシフトを防止させるだけで無く、図３７のＳＴ７に示すように同期コードの誤検知を自動修正出来る。このため同期コードの検出精度と検出安定性が飛躍的に向上する。その結果、ＥＣＣブロックのエラー訂正能力の劣化を防止し、精度と信頼性の高いエラー訂正が可能となる。このように、ＥＣＣブロック内で不定ビットが縦一直線に並ぶのを防止し、エラー訂正能力を確保すると共に同期コードの検出精度を高めてフレームデータのＥＣＣブロック内の配置場所設定確度を高める事により、両者の重畳作用（相乗効果）で、より一層エラー訂正能力を高める（エラー訂正能力低下をくい止める）ことができる。
【０２６２】
上記の< 1>〜<15>のまとめを下記の表に示す：
【表１】
2006114222.tif 000017
【図面の簡単な説明】
【０２６３】
【図１】この発明の一実施の形態に係る情報記録媒体に対するファイル配置の例を示す図。
【図２】この発明の一実施の形態に係る情報記録媒体に対するファイル配置の他の例を示す図。
【図３】この発明の一実施の形態に係る情報記録媒体に対する映像情報の記録方法の説明図。
【図４】この発明の一実施の形態に係る情報記録媒体に記録される副映像の圧縮規則の例を示す説明図。
【図５】記録データフィールドを生成する処理手順を示す説明図。
【図６】データフレームの構成を示す説明図。
【図７】図６のデータＩＤの内容を示す説明図。
【図８】図７のデータフィールド番号の内容を示す説明図。
【図９】記録タイプの定義の説明図。
【図１０】メインデータにスクランブルを施す際のシフトレジスタの初期値の例と、そのシフトレジスタの説明図。
【図１１】ＥＣＣブロックの構造を示す説明図。
【図１２】スクランブルドフレームの配置例を示す説明図。
【図１３】ＥＣＣブロックにおいて、アウターパリティー（ＰＯ）が、左側ブロック、右側ブロックにそれぞれインターリーブされた様子を示す図。
【図１４】記録されたデータフィールド（偶数フィールドと奇数フィールド）の構成例を説明する図。
【図１５】シンクコードの具体的な内容例を説明する図。
【図１６】連続するシンクコードの組み合わせパターン（列方向）の比較例１を説明する図（セクタ間を移動する場合）。
【図１７】連続するシンクコードの組み合わせパターン（列方向）の比較例２を説明する図（ガード領域を跨る場合）。
【図１８】予定外のシンクコードの組み合わせパターンを検知した場合の、検知パターン内容と異常現象内容との間の関係例を説明する図。
【図１９】情報記憶媒体上での記録データのデータ単位の一例を説明する図。
【図２０】この発明の実施の形態が再生専用情報記憶媒体に適用される場合において、第１の実施形態例と第２の実施形態例を比較して説明する図。
【図２１】ガード領域内のデータ構造（例１）を説明する図。
【図２２】ガード領域内のデータ構造（例２）を説明する図。
【図２３】種々な情報記憶媒体（再生専用、追記型、書換型）毎のデータ記録形式例を比較して説明する図。
【図２４】この発明の一実施の形態における書き換え可能形情報記録媒体のゾーン構造を示す図。
【図２５】ウォーブル変調における１８０°位相変調とＮＲＺ法の説明図。
【図２６】ランド（Ｌ）／グルーブ（Ｇ）記録でウォーブル変調を行なった場合の不定ビット発生の原理説明図。
【図２７】グレイコードの例を示す図。
【図２８】この発明の一実施の形態に係る特殊トラックコードの説明図。
【図２９】書き換え型情報記憶媒体上に記録される書き換え可能データの記録方法例を説明する図。
【図３０】この発明の一実施の形態に係る情報記憶媒体上におけるウォーブルアドレスフォーマットの一例を説明する図。
【図３１】同期コード内のシンクフレーム識別用コードの並び順から、１物理セクタ内のシンクフレーム一を割り出す方法の一例を説明する図。
【図３２】シンクフレーム識別用コードの並び順からシンクフレーム位置を割り出すときの具体例（図１４に例示されたデータフィールドを採用した場合）を示す図。
【図３３】この発明の一実施の形態に係る情報記録再生装置の構成を説明する図。
【図３４】図３３の同期コード位置抽出部（検出部）１４５およびその周辺要素の詳細な構成例を説明する図。
【図３５】連続する３個の同期コードの並び順からセクタ内のシンクフレーム位置を割り出す方法の一例を説明するフローチャート図。
【図３６】この発明の一実施の形態に係る情報記録再生装置において、複数の同期コードの並び順から異常（トラック外れなど）を検知する方法の一例を説明するフローチャート図。
【図３７】同期コードの組み合わせパターンの検出結果が予想されたパターンと異なる場合における、異常現象の判定とその適応処理の方法の一例を説明するフローチャート図。
【符号の説明】
【０２６４】
２２１…情報記憶媒体（光ディスク；次世代のＤＶＤ−ＲＯＭ、Ｒ、ＲＡＭなど）；４０１、４１１〜４１８…ＥＣＣブロック；２３０〜２４１…セクタ；４２０〜４２９…シンクフレーム；４３１…シンクコード（同期コード）；４３２…シンクデータ；４４１〜４６８…ガード領域。
【図１】
2006114222.tif 000018
【図２】
2006114222.tif 000019
【図３】
2006114222.tif 000020
【図４】
2006114222.tif 000021
【図５】
2006114222.tif 000022
【図６】
2006114222.tif 000023
【図７】
2006114222.tif 000024
【図８】
2006114222.tif 000025
【図９】
2006114222.tif 000026
【図１０】
2006114222.tif 000027
【図１１】
2006114222.tif 000028
【図１２】
2006114222.tif 000029
【図１３】
2006114222.tif 000030
【図１４】
2006114222.tif 000031
【図１５】
2006114222.tif 000032
【図１６】
2006114222.tif 000033
【図１７】
2006114222.tif 000034
【図１８】
2006114222.tif 000035
【図１９】
2006114222.tif 000036
【図２０】
2006114222.tif 000037
【図２１】
2006114222.tif 000038
【図２２】
2006114222.tif 000039
【図２３】
2006114222.tif 000040
【図２４】
2006114222.tif 000041
【図２５】
2006114222.tif 000042
【図２６】
2006114222.tif 000043
【図２７】
2006114222.tif 000044
【図２８】
2006114222.tif 000045
【図２９】
2006114222.tif 000046
【図３０】
2006114222.tif 000047
【図３１】
2006114222.tif 000048
【図３２】
2006114222.tif 000049
【図３３】
2006114222.tif 000050
【図３４】
2006114222.tif 000051
【図３５】
2006114222.tif 000052
【図３６】
2006114222.tif 000053
【図３７】
2006114222.tif 000054